(57)【要約】【課題】貯留部側からコインを１枚ずつ分離して揚送し投入口に直接投入して、遊技機においては、遊技者が貯留部からコインを１枚ずつ投入口に投入する操作を遊技毎にする必要をなくし、遊技し易くなり、コイン使用機においては、使い勝手がよくなるコイン搬送装置および遊技機を提供する。【解決手段】貯留部１５内のコインを収容部材３１内に掻き寄せ、収容部材３１内で送り部材３５を回転し、コインを１枚ずつ送出用孔３６に嵌入し、嵌入したコインを送出用爪３７で起立機構４０へ送り出すようにし、送り出されたコインを羽根部材４４によって掻き上げ、掻き上げたコインを起立ガイド部材４２によって案内して垂直ガイド部材５２へ送り、送られたコインを垂直ガイド部材５２によって起立姿勢に保持しながらコインを垂直方向に案内し、案内したコインを投入口１７に直接投入するようにした。【選択図】図１
2004152257.tif 000002
【特許請求の範囲】
【請求項１】
コインを用いて遊技する遊技機に備えられるコイン搬送装置であって、遊技機は、コインを溜めるための貯留部と、該貯留部の上方に位置する投入口とを有するものにおいて、
前記貯留部側からコインを１枚ずつ分離して揚送し前記投入口に直接投入する
ことを特徴とするコイン搬送装置。
【請求項２】
コインを用いて遊技する遊技機であって、コインを溜めるための貯留部と、該貯留部の上方に位置する投入口とを有するものにおいて、
前記貯留部側からコインを１枚ずつ分離して揚送し前記投入口に直接投入するコイン搬送装置を備えた
ことを特徴とする遊技機。
【請求項３】
コインを用いる自動販売機、券売機、両替機などのコイン使用機に備えられるコイン搬送装置であって、コイン使用機は、コインを溜めるための貯留部と、該貯留部の上方に位置する投入口とを有するものにおいて、
前記貯留部側からコインを１枚ずつ分離して揚送し前記投入口に直接投入する
ことを特徴とするコイン搬送装置。
【請求項４】
前記コイン搬送装置は、前記貯留部側にあるコインを１枚ずつ倒伏姿勢にして送り出す送出機構と、前記送出機構から送られたコインを倒伏姿勢から起立姿勢にする起立機構と、該起立機構から送られたコインを起立姿勢に維持しながらコインを揚送して前記投入口に直接投入する揚送機構とを備えた
ことを特徴とする請求項１、２または３に記載のコイン搬送装置。
【請求項５】
前記起立機構は、前記送出機構の近傍に配されている
ことを特徴とする請求項４に記載のコイン搬送装置。
【請求項６】
前記揚送機構は、前記送出機構の近傍に配されている
ことを特徴とする請求項４に記載のコイン搬送装置。
【請求項７】
前記貯留部は、遊技機の本体あるいはコイン使用機の本体から正面側へ張り出しており、
前記送出機構は前記貯留部に隣接して配され、
前記起立機構は、前記送出機構を間にして前記貯留部とはほぼ反対の位置であって、遊技機の本体あるいはコイン使用機の本体に寄った位置に配されている
ことを特徴とする請求項４に記載のコイン搬送装置。
【請求項８】
前記揚送機構は、前記起立機構から遊技機の本体あるいはコイン使用機の本体の方へさらに寄った位置に配されている
ことを特徴とする請求項７に記載のコイン搬送装置。
【請求項９】
前記送出機構は、前記貯留部に隣接して配され、
さらに、前記送出機構は、貯留部側とは反対側にコインを送り出すものである
ことを特徴とする請求項４に記載のコイン搬送装置。
【請求項１０】
前記送出機構は、前記貯留部に隣接して配され、
さらに、前記送出機構は、前記貯留部内のコインを受け入れるための収容部材を備え、
前記収容部材は、前記貯留部内のコインを前記収容部材内に掻き寄せるためのコイン搬入口を有している
ことを特徴とする請求項４に記載のコイン搬送装置。
【請求項１１】
前記送出機構は、前記貯留部内のコインを受け入れるための収容部材と、前記収容部材内に配され回転可能な送り部材とを備え、
前記送り部材は送出用孔と送出用爪を有し、
前記送出用孔は、前記収容部材内のコインを１枚ずつ嵌入させるものであり、
前記送出用爪は、前記嵌入したコインを前記起立機構へ送り出すように形成されている
ことを特徴とする請求項４に記載のコイン搬送装置。
【請求項１２】
前記揚送機構は垂直ガイド部材を備え、
前記垂直ガイド部材は、コインを起立姿勢に保持しながらコインを垂直方向に案内するように配され、
前記起立機構は、コインを前記垂直ガイド部材へ案内する起立ガイド部材と、コインを前記垂直ガイド部材へ掻き上げるための羽根部材を備えた
ことを特徴とする請求項４に記載のコイン搬送装置。
【請求項１３】
前記揚送機構は、垂直ガイド部材と投入用ガイド部材とを備え、
前記垂直ガイド部材は、コインを起立姿勢に保持しながらコインを垂直方向に案内するように形成され、
前記投入用ガイド部材は、前記垂直ガイド部材の上端部に揚送されたコインを同じく起立姿勢に保持しながらコインを前記投入口へ案内するように形成されている
ことを特徴とする請求項４に記載のコイン搬送装置。
【請求項１４】
前記揚送機構の投入用ガイド部材は、前記投入口から離間することで、前記投入口を外部に開放し、外部からコインを前記投入口に直接投入できるように配されている
ことを特徴とする請求項１３に記載のコイン搬送装置。
【請求項１５】
貯留されたコインを１枚ずつ分離して揚送するようにしたコイン搬送装置において、
前記貯留されたコインを１枚ずつ倒伏姿勢にして送り出す送出機構と、該送出機構から送られたコインを倒伏姿勢から起立姿勢にする起立機構と、該起立機構から送られたコインを起立姿勢に維持しながらコインを揚送する揚送機構とを備え、
前記送出機構は、回転可能な送り部材を備え、
前記送り部材は送出用孔と送出用爪を有し、
前記送出用孔は、コインを１枚ずつ嵌入させるものであり、
前記送出用爪は、前記嵌入したコインを前記起立機構へ送り出すように形成されている
ことを特徴とするコイン搬送装置。
【請求項１６】
前記送出用爪は、前記送り部材の下面側に形成され、前記嵌入したコインを前記起立機構へ送り出すように形成されている
ことを特徴とする請求項１１または１５に記載のコイン搬送装置。
【請求項１７】
前記送出用爪の先端は、前記起立機構の近傍に達していて、コインを前記起立機構に送り出すように形成されている
ことを特徴とする請求項１１または１５に記載のコイン搬送装置。
【請求項１８】
前記送出機構は係止部材を備え、
前記係止部材は、前記送り部材の回転時に、係止したコインを前記送出用孔へ相対移動させるものである
ことを特徴とする請求項１１または１５に記載のコイン搬送装置。
【請求項１９】
前記送出機構はカウント部材を備え、
前記カウント部材は、付勢力によって原位置に戻るように配され、
さらに、前記カウント部材は、前記送出用爪によって送り出されるコインの前記付勢力に優る押力で原位置から変位する一方、
前記送出用爪によってさらに送り出されるコインの押力に優る付勢力で原位置に戻るように配されている
ことを特徴とする請求項１１または１５に記載のコイン搬送装置。
【請求項２０】
前記カウント部材は、前記コインの押力に優る付勢力で原位置に戻るとき、コインを前記起立機構へ送り出すように配されている
ことを特徴とする請求項１９に記載のコイン搬送装置。
【請求項２１】
前記送出機構は、調整部材を備え、
前記調整部材は、該調整部材と前記カウント部材との間に形成されたコイン通過用の隙間を調整できるように配設されている
ことを特徴とする請求項１９または２０に記載のコイン搬送装置。
【請求項２２】
前記カウント部材は、前記当接するコインの径の大きさに応じて前記原位置から変位する量が変わるように形成されている
ことを特徴とする請求項１９、２０または２１に記載のコイン搬送装置。
【請求項２３】
貯留されたコインを１枚ずつ分離して揚送するようにしたコイン搬送装置において、
前記貯留されたコインを１枚ずつ倒伏姿勢にして送り出す送出機構と、該送出機構から送られたコインを倒伏姿勢から起立姿勢にする起立機構と、該起立機構から送られたコインを起立姿勢に維持しながらコインを揚送する揚送機構とを備え、
前記揚送機構は垂直ガイド部材を備え、
前記垂直ガイド部材は、コインを起立姿勢に保持しながらコインを垂直方向に案内するように配され、
前記起立機構は、コインを前記垂直ガイド部材へ案内する起立ガイド部材と、コインを前記垂直ガイド部材へ掻き上げるための羽根部材を備えた
ことを特徴とするコイン搬送装置。
【請求項２４】
前記起立機構は、コインを前記倒伏姿勢と前記起立姿勢との間の姿勢である前記中間姿勢に保持する中間姿勢保持部を有し、
前記中間姿勢保持部は、前記送出機構から送られたコインの周縁を部分的に落とし込むことで、コインを前記中間姿勢に保持するように形成され、
前記羽根部材は、前記中間姿勢に保持されたコインを掻き上げるように配されている
ことを特徴とする請求項１２または２３に記載のコイン搬送装置。
【請求項２５】
前記中間姿勢保持部に落とし込むべきコインの周縁は、前記送出機構から送られるコインの送り方向に対して両側方向に位置するコインの両側縁の一方である
ことを特徴とする請求項２４に記載のコイン搬送装置。
【請求項２６】
前記送出機構はカウント部材を備え、
前記カウント部材は、付勢力によって原位置に戻るように配され、
さらに、前記カウント部材は、前記送出用爪によって送り出されるコインの前記付勢力に優る押力で原位置から変位する一方、
前記送出用爪によってさらに送り出されるコインの押力に優る付勢力で原位置に戻るように配され、
前記カウント部材は、コインを掻き上げた前記羽根部材の下方を通って、前記原位置から変位して、次に掻き上げるべきコインを前記起立機構に送り出すように配されている
ことを特徴とする請求項１１または１５に記載のコイン搬送装置。
【請求項２７】
前記揚送機構は垂直ガイド部材とスクリュー部材とを備え、
前記垂直ガイド部材は、コインを起立姿勢に保持しながらコインを垂直方向に案内するように配され、
前記スクリュー部材は、回転することでその螺旋状の突条をコインに当てて、コインを１枚ずつ押し上げるように配され、
前記起立機構の起立ガイド部材は、コインの面を前記スクリュー部材の回転軸に向けて起立姿勢になるようにコインを案内するものであり、
前記起立機構の羽根部材は、コインを前記垂直ガイド部材へ掻き上げたとき、その先端部を前記スクリュー部材の回転軸に対し外すように配されている
ことを特徴とする請求項４または２３に記載のコイン搬送装置。
【請求項２８】
前記揚送機構は垂直ガイド部材とスクリュー部材とを備え、
前記垂直ガイド部材は、コインを起立姿勢に保持しながらコインを垂直方向に案内するように配され、
前記スクリュー部材は、回転することでその螺旋状の突条をコインに当てて、コインを１枚ずつ押し上げるように配され、
前記起立機構の起立ガイド部材は、コインの面を前記スクリュー部材の回転軸に向けて起立姿勢になるようにコインを案内するものであり、
前記起立機構の羽根部材は、コインを垂直ガイド部材へ掻き上げたときに、前記羽根部材の羽先部によって下方から支えるコインの周縁を、コインを下方から押し上げるために前記スクリュー部材の突条によって下方から支えられるコインの周縁との位置から外すように配されている
ことを特徴とする請求項４または２３に記載のコイン搬送装置。
【請求項２９】
前記揚送機構は、垂直ガイド部材とスクリュー部材とを備え、
前記垂直ガイド部材は、コインの面を前記スクリュー部材の回転軸に向けた起立姿勢にコインを保持しながらコインを垂直方向に案内するように配され、
前記スクリュー部材は、回転することでその螺旋状の突条をコインの下縁に当てて、コインを１枚ずつ押し上げるように配されている
ことを特徴とする請求項４に記載のコイン搬送装置。
【請求項３０】
貯留されたコインを１枚ずつ分離して揚送するようにしたコイン搬送装置において、
前記貯留されたコインを１枚ずつ倒伏姿勢にして送り出す送出機構と、該送出機構から送られたコインを倒伏姿勢から起立姿勢にする起立機構と、該起立機構から送られたコインを起立姿勢に維持しながらコインを揚送する揚送機構とを備え、
前記揚送機構は、垂直ガイド部材とスクリュー部材とを備え、
前記垂直ガイド部材は、コインの面を前記スクリュー部材の回転軸に向けた起立姿勢にコインを保持しながらコインを垂直方向に案内するように配され、
前記スクリュー部材は、回転することでその螺旋状の突条をコインの下縁に当てて、コインを１枚ずつ押し上げるように配されている
ことを特徴とするコイン搬送装置。
【請求項３１】
貯留されたコインを１枚ずつ分離して揚送するようにしたコイン搬送装置において、
前記貯留されたコインを１枚ずつ倒伏姿勢にして送り出す送出機構と、該送出機構から送られたコインを倒伏姿勢から起立姿勢にする起立機構と、該起立機構から送られたコインを起立姿勢に維持しながらコインを揚送する揚送機構と、前記送出機構または前記揚送機構の少なくとも一方を駆動するための駆動機構とを備え、
前記駆動機構は、モータと、該モータの動力を前記送出機構または前記揚送機構の少なくとも一方に伝達するための１または複数の平歯車とを備え、
前記１または複数の平歯車は、該平歯車の回転軸を略垂直に配置した状態で前記モータの動力を受けることで、前記１または複数の平歯車が高さ方向で該平歯車の歯幅とほぼ同じ寸法の中に収まるように配されている
ことを特徴とするコイン搬送装置。
【請求項３２】
前記駆動機構は、該駆動機構の本体であるベースと、モータと、該モータの動力を前記送出機構または前記揚送機構の少なくとも一方に伝達するための１または複数の平歯車とを備え、
前記モータは、前記ベースの上面側に配され、
前記１または複数の平歯車は、前記ベースの下面側にあって、該下面に沿うように配されている
ことを特徴とする請求項３１に記載のコイン搬送装置。
【請求項３３】
前記投入用ガイド部材は、外部から前記投入口にコインを直接投入することができるように形成されている
ことを特徴とする請求項１３に記載のコイン揚送装置。
【請求項３４】
前記投入用ガイド部材は、コインを差し込むための２つの差込口が開設されるとともに、該２つの差込口にそれぞれ差し込まれたコインを前記投入口に案内するためのガイド溝が形成され、
さらに、前記投入用ガイド部材は、前記貯留部側から１枚ずつ分離され揚送されたコインを前記２つの差込口の一方からガイド溝を通して前記投入口に直接投入することができるように形成されるとともに、外部から前記２つの差込口の他方からガイド溝を通して前記投入口にコインを直接投入することができるように形成されている
ことを特徴とする請求項１３に記載のコイン揚送装置。
【請求項３５】
前記２つの差込口の一方は、該差込口にコインを差し込むとき、該差し込む者の方へコインの表面あるいは裏面が向くように開設されている
ことを特徴とする請求項３４に記載のコイン揚送装置。
【請求項３６】
前記貯留部側からコインを１枚ずつ分離して揚送し前記２つの差込口の一方からガイド溝を通して前記投入口に直接投入することが可能なとき、前記２つの差込口の他方を閉める一方、前記投入口に直接投入することが不能なとき、前記２つの差込口の他方を開くための制限部材を備えた
ことを特徴とする請求項３４に記載の遊技機。
【発明の詳細な説明】
【０００１】
【発明の属する技術分野】
本発明は、コインを用いて遊技する遊技機に備えられるコイン搬送装置に関する。また、コインを用いる自動販売機、券売機、両替機などのコイン使用機に備えられるコイン搬送装置に関する。なお、本明細書において「コイン」には、ゲーム用のメダル、トークン、硬貨およびこれらに類するものが含まれている。
【０００２】
【従来の技術】
従来のこの種のコイン搬送装置は次のように構成されている。
すなわち、ホッパーの下部に円筒状のケースを配し、ケース内でスプロケットを回転可能に支持し、円筒状ケース内に収容された硬貨をスプロケットの送出片でケース外へ送り出し、送り出された硬貨をカウントレバーでさらに送り出し、送り出された硬貨を倒伏姿勢のまま硬貨投出シュートから外部に排出するようにしている（例えば、特許文献１参照。）。
【０００３】
また、硬貨を起立姿勢のまま送り円板により硬貨送り羽根に送り出し、硬貨送り羽根により硬貨を起立姿勢のまま硬貨通路に押し上げるようにしている（例えば、特許文献２参照。）。
【０００４】
さらに、メダルをドラム部の回転による遠心力でドラム部の外側にあるベルトコンベアの一端まで移動し、移動したメダルを駆動するベルトコンベアの他端から射出し、射出されたメダルをメダルガイド部により倒伏姿勢から起立姿勢にしながらスロットマシンのメダル投入口に案内するようにしている（例えば、特許文献３参照。）。
【０００５】
さらに、メダルタンク内のメダルを第１滑落部材に送り出し、第２滑落部材でメダルの姿勢を斜めにして、メダルを斜め姿勢のままノズルに通して、受皿に払い出すようにしている（例えば、特許文献４参照。）。
【０００６】
さらに、メダルカップ内のメダルをメダル取出機構で取り出して、メダル供給シュータに通して、メダルをメダルガイド空間に送り、送られたメダルを倒伏姿勢のままスクリューコンベアのスクリュー羽根で押し上げ、メダル投入口下方のメダル導入筒部に倒伏姿勢のまま投入するようにしている（例えば、特許文献５参照。）。
【０００７】
さらに、コインをローラーのコイン受け入れ孔に嵌め、ローラーの裏側に形成された放射湾曲羽根によりコインを縦送りし、ローラーコイン送出路に押し上げるようにしている（例えば、特許文献６参照。）。
【０００８】
さらに、駆動モータにより回転体とこれに一体的に形成されたコイン受承体とを回転させると、これに伴ってこの回転体とコイン受承体との表面に一体的に設けた突条によって形成されたコイン収納空間は、外筒体側に形成したコイン挿入口に対して上方に順次移動する。コイン揚上装置を構成する回転体とコイン受承体との表面に一体的に設けた突条は螺旋状に形成されている。また、螺旋状の突条に面してコイン挿入口が開設され、コイン搬入路上のコインをその自重により落下させることで、コインを１枚ずつ整列させてコイン挿入口に搬入し、コインを倒伏姿勢で積み重ねるようにし、下端のコインから順番に突条で押し上げるようにしている。さらに、突条に押し上げられたコインをコイン投入口に向かって投下している（例えば、特許文献７参照。）。
【０００９】
【特許文献１】
特開２００２−２３６９５８号公報
【特許文献２】
特許第３２０６６９９号公報
【特許文献３】
特開２００２−２１０２１４号公報
【特許文献４】
特開２００２−２１０２１５号公報
【特許文献５】
特開２００１−３４６９３８号公報
【特許文献６】
特開２００２−１９７５０３号公報
【特許文献７】
特開昭６２−１７２９８１号公報
【００１０】
【発明が解決しようとする課題】
しかしながら、特許文献１の技術では、ホッパー内の硬貨を送出片で１枚ずつ送り出し、送り出された硬貨を硬貨投出シュートから排出するので、硬貨投出シュートから排出された硬貨を投入口に入れるためには、この装置を投入口の近傍に設置しなければならない。このように硬貨を揚送する必要のないものであるから、投入口に入れるための硬貨を下方の貯留部からわざわざ揚送するために、この装置に揚送機構などを追加すると、装置全体が大型になり、例えば、遊技機等の貯留部に隣接した狭いスペースには設置できないという問題点があった。
【００１１】
また、特許文献２の技術では、送り円板によって硬貨送り羽根に送り出される硬貨は起立姿勢のままであり、硬貨を貯留部に溜める場合に、硬貨を倒伏姿勢で溜めるのが一般的であるから、硬貨を倒伏姿勢から起立姿勢にする手段を設けなければ、貯留部から送り円板に送られる硬貨も倒伏姿勢になり、倒伏姿勢のままでは硬貨を送り円板から硬貨送り羽根に送ることができない。また、硬貨を送り円板から硬貨送り羽根に送り出さない場合、硬貨送り羽根のポケットに硬貨を入れない空の状態のままで硬貨送り羽根を回転させる空送りを生じる。空送りが生じると、エスカレータ内に整列した複数の硬貨がその空の状態のポケットに向かって落下し、硬貨による衝撃を硬貨送り羽根で受け止めると、硬貨送り羽根を損傷させる要因になるという問題点があった。
【００１２】
さらに、特許文献３の技術では、メダルを倒伏姿勢から起立姿勢にするには、メダルの射出速度やメダルガイド部の長さなどの条件を満たしたベルトコンベアやメダルガイド部を投入口とほぼ同じ高さに、一直線上に設置しなければならない。仮に、メダルを貯留部から揚送して投入口に投入するメダル搬送装置に、ベルトコンベアやメダルガイド部を用いると、搬送装置の上部が大型になり、装置全体が大型になり、同じく、遊技機等の貯留部に隣接した狭いスペースには設置できないという問題点があった。
【００１３】
さらに、特許文献４の技術では、メダルタンク内のメダルを第１滑落部材に送り出し、第２滑落部材でメダルの姿勢を斜めにして、メダルを斜め姿勢のままノズルに通して、ノズルからメダルを斜め姿勢で排出しているから、受皿に払い出すことはできるが、受皿に代えてスリット形状のメダル投入口にメダルを投入することはできない。また、特許文献１の技術と同じく、メダルを揚送する必要のないものであるから、投入口に入れるための硬貨を下方の貯留部からわざわざ揚送するには、大幅な構成の変更が必要になり、また、装置全体が大型になり、狭いスペースには設置できないという問題点があった。
【００１４】
さらに、特許文献５の技術では、揚送されたメダルをメダル投入口下方のメダル導入筒部に倒伏姿勢のまま投入しており、揚送されたメダルをメダル投入口に直接投入していない。また、メダルを倒伏姿勢のままスリット形状のメダル投入口に投入しようとすると、メダル投入口の口縁でメダルを弾いてしまって、メダルを確実にメダル投入口に投入することができないという問題点があった。
【００１５】
さらに、特許文献６の技術では、放射湾曲羽根によりコインを縦送りし、コイン送出路に押し上げるようにしているので、特許文献２の技術とおなじように、コインを貯留部に溜める場合に、コインを倒伏姿勢で溜めるのが一般的であるから、コインを倒伏姿勢から起立姿勢にする手段を設けなければ、貯留部から放射湾曲羽根へ送られるコインも倒伏姿勢になり、倒伏姿勢のままではコインをコイン送出路に押し上げることができない。また、コインを放射湾曲羽根が送り出さない空送りが生じる場合があり、空送りが生じると、コイン送出路内に整列した複数のコインが落下し、コインによる衝撃を放射湾曲羽根で受け止めると、放射湾曲羽根を損傷させる要因になり、空送りを防止する何らかの手段が必要になるという問題点があった。
【００１６】
さらに、特許文献７の技術では、回転体の下端部がラッパ形状に広がるように形成されており、そのラッパ形状の下端部の周面に合わせて突条６が形成されていることから、回転体自体が特殊な形状になり、その回転体に合わせて、外筒体も特殊な形状に形成する必要があることから、コストが嵩む要因になる。また、コイン搬入路上のコインをその自重により落下させることで、コインを１枚ずつ整列させてコイン挿入口に搬入しているので、コイン搬入路の途中でコインの重なりや乱れが生じて、コインの詰まりが発生するおそれがある。したがって、遊技機等の貯留部に溜まったコインをこのコイン搬入路を用いて回転体の下端部に的確に搬送することは困難である。さらに、突条に押し上げられたコインをコイン投入口に向かって投下しているので、コイン投入口の開口を大きくしておく必要があり、スリット形状のコイン投入口では、投下したコインを受け入れないで弾いてしまうおそれがあるという問題点があった。
【００１７】
本発明は、貯留部側からコインを１枚ずつ分離して揚送し投入口に直接投入して、遊技機においては、遊技者が貯留部からコインを１枚ずつ投入口に投入する操作を遊技毎にする必要をなくし、遊技し易くなり、コイン使用機においては、使い勝手がよくなるコイン搬送装置および遊技機を提供することを目的としている。
【００１８】
また、送出機構、起立機構および揚送機構を小型にし、例えば、遊技機等の貯留部に隣接する狭いスペースであっても配置できるようにして、搬送装置全体を小型にすることができるコイン搬送装置および遊技機を提供することを目的としている。
【００１９】
さらに、送出機構から起立機構、起立機構から揚送機構および、揚送機構から投入口へのコイン搬送の各々の確実性を高めることができるコイン搬送装置を提供することを目的としている。
【００２０】
さらに、係止部材で収容部材内のコインを送出用孔に強制的に嵌入させるようにして、コインの搬送効率を上げることができ、また、送出機構から送り出されるコインの有無を検出できるようにして、コインの空送りを防止することができるとともに、異径コインの混入を防止することができるコイン搬送装置を提供することを目的としている。
【００２１】
さらに、揚送機構の幅を狭くすることができ、垂直ガイド部材でスクリュー部材を隠すようにして、外観を良くすることができるコイン搬送装置を提供することを目的としている。
【００２２】
【課題を解決するための手段】
かかる目的を達成するための本発明の要旨とするところは、次の各項の発明に存する。
［１］コインを用いて遊技する遊技機（１０）に備えられるコイン搬送装置であって、遊技機（１０）は、コインを溜めるための貯留部（１５）と、該貯留部（１５）の上方に位置する投入口（１７）とを有するものにおいて、
前記貯留部（１５）側からコインを１枚ずつ分離して揚送し前記投入口（１７）に直接投入する
ことを特徴とするコイン搬送装置。
【００２３】
［２］コインを用いて遊技する遊技機（１０）であって、コインを溜めるための貯留部（１５）と、該貯留部（１５）の上方に位置する投入口（１７）とを有するものにおいて、
前記貯留部（１５）側からコインを１枚ずつ分離して揚送し前記投入口（１７）に直接投入するコイン搬送装置を備えた
ことを特徴とする遊技機（１０）。
【００２４】
［３］コインを用いる自動販売機、券売機、両替機などのコイン使用機に備えられるコイン搬送装置であって、コイン使用機は、コインを溜めるための貯留部（１５）と、該貯留部（１５）の上方に位置する投入口（１７）とを有するものにおいて、
前記貯留部（１５）側からコインを１枚ずつ分離して揚送し前記投入口（１７）に直接投入する
ことを特徴とするコイン搬送装置。
【００２５】
［４］前記コイン搬送装置は、前記貯留部（１５）側にあるコインを１枚ずつ倒伏姿勢にして送り出す送出機構（３０）と、前記送出機構（３０）から送られたコインを倒伏姿勢から起立姿勢にする起立機構（４０）と、該起立機構（４０）から送られたコインを起立姿勢に維持しながらコインを揚送して前記投入口（１７）に直接投入する揚送機構（５０）とを備えた
ことを特徴とする［１］、［２］または［３］に記載のコイン搬送装置。
【００２６】
［５］前記起立機構（４０）は、前記送出機構（３０）の近傍に配されている
ことを特徴とする［４］に記載のコイン搬送装置。
【００２７】
［６］前記揚送機構（５０）は、前記送出機構（３０）の近傍に配されている
ことを特徴とする［４］に記載のコイン搬送装置。
【００２８】
［７］前記貯留部（１５）は、遊技機（１０）の本体あるいはコイン使用機の本体から正面側へ張り出しており、
前記送出機構（３０）は前記貯留部（１５）に隣接して配され、
前記起立機構（４０）は、前記送出機構（３０）を間にして前記貯留部（１５）とはほぼ反対の位置であって、遊技機（１０）の本体あるいはコイン使用機の本体に寄った位置に配されている
ことを特徴とする［４］に記載のコイン搬送装置。
【００２９】
［８］前記揚送機構（５０）は、前記起立機構（４０）から遊技機（１０）の本体あるいはコイン使用機の本体の方へさらに寄った位置に配されている
ことを特徴とする［７］に記載のコイン搬送装置。
【００３０】
［９］前記送出機構（３０）は、前記貯留部（１５）に隣接して配され、
さらに、前記送出機構（３０）は、貯留部（１５）側とは反対側にコインを送り出すものである
ことを特徴とする［４］に記載のコイン搬送装置。
【００３１】
［１０］前記送出機構（３０）は、前記貯留部（１５）に隣接して配され、
さらに、前記送出機構（３０）は、前記貯留部（１５）内のコインを受け入れるための収容部材（３１）を備え、
前記収容部材（３１）は、前記貯留部（１５）内のコインを前記収容部材（３１）内に掻き寄せるためのコイン搬入口（３２）を有している
ことを特徴とする［４］に記載のコイン搬送装置。
【００３２】
［１１］前記送出機構（３０）は、前記貯留部（１５）内のコインを受け入れるための収容部材（３１）と、前記収容部材（３１）内に配され回転可能な送り部材（３５）とを備え、
前記送り部材（３５）は送出用孔（３６）と送出用爪（３７）を有し、
前記送出用孔（３６）は、前記収容部材（３１）内のコインを１枚ずつ嵌入させるものであり、
前記送出用爪（３７）は、前記嵌入したコインを前記起立機構（４０）へ送り出すように形成されている
ことを特徴とする［４］に記載のコイン搬送装置。
【００３３】
［１２］前記揚送機構（５０）は垂直ガイド部材（５２）を備え、
前記垂直ガイド部材（５２）は、コインを起立姿勢に保持しながらコインを垂直方向に案内するように配され、
前記起立機構（４０）は、コインを前記垂直ガイド部材（５２）へ案内する起立ガイド部材（４２）と、コインを前記垂直ガイド部材（５２）へ掻き上げるための羽根部材（４４）を備えた
ことを特徴とする［４］に記載のコイン搬送装置。
【００３４】
［１３］前記揚送機構（５０）は、垂直ガイド部材（５２）と投入用ガイド部材（５８）とを備え、
前記垂直ガイド部材（５２）は、コインを起立姿勢に保持しながらコインを垂直方向に案内するように形成され、
前記投入用ガイド部材（５８）は、前記垂直ガイド部材（５２）の上端部に揚送されたコインを同じく起立姿勢に保持しながらコインを前記投入口（１７）へ案内するように形成されている
ことを特徴とする［４］に記載のコイン搬送装置。
【００３５】
［１４］前記揚送機構（５０）の投入用ガイド部材（５８）は、前記投入口（１７）から離間することで、前記投入口（１７）を外部に開放し、外部からコインを前記投入口（１７）に直接投入できるように配されている
ことを特徴とする［１３］に記載のコイン搬送装置。
【００３６】
［１５］貯留されたコインを１枚ずつ分離して揚送するようにしたコイン搬送装置において、
前記貯留されたコインを１枚ずつ倒伏姿勢にして送り出す送出機構（３０）と、該送出機構（３０）から送られたコインを倒伏姿勢から起立姿勢にする起立機構（４０）と、該起立機構（４０）から送られたコインを起立姿勢に維持しながらコインを揚送する揚送機構（５０）とを備え、
前記送出機構（３０）は、回転可能な送り部材（３５）を備え、
前記送り部材（３５）は送出用孔（３６）と送出用爪（３７）を有し、
前記送出用孔（３６）は、コインを１枚ずつ嵌入させるものであり、
前記送出用爪（３７）は、前記嵌入したコインを前記起立機構（４０）へ送り出すように形成されている
ことを特徴とするコイン搬送装置。
【００３７】
［１６］前記送出用爪（３７）は、前記送り部材（３５）の下面側に形成され、前記嵌入したコインを前記起立機構（４０）へ送り出すように形成されている
ことを特徴とする［１１］または［１５］に記載のコイン搬送装置。
【００３８】
［１７］前記送出用爪（３７）の先端は、前記起立機構（４０）の近傍に達していて、コインを前記起立機構（４０）に送り出すように形成されている
ことを特徴とする［１１］または［１５］に記載のコイン搬送装置。
【００３９】
［１８］前記送出機構（３０）は係止部材（２９）を備え、
前記係止部材（２９）は、前記送り部材（３５）の回転時に、係止したコインを前記送出用孔（３６）へ相対移動させるものである
ことを特徴とする［１１］または［１５］に記載のコイン搬送装置。
【００４０】
［１９］前記送出機構（３０）はカウント部材（３８）を備え、
前記カウント部材（３８）は、付勢力によって原位置に戻るように配され、
さらに、前記カウント部材（３８）は、前記送出用爪（３７）によって送り出されるコインの前記付勢力に優る押力で原位置から変位する一方、
前記送出用爪（３７）によってさらに送り出されるコインの押力に優る付勢力で原位置に戻るように配されている
ことを特徴とする［１１］または［１５］に記載のコイン搬送装置。
【００４１】
［２０］前記カウント部材（３８）は、前記コインの押力に優る付勢力で原位置に戻るとき、コインを前記起立機構（４０）へ送り出すように配されている
ことを特徴とする［１９］に記載のコイン搬送装置。
【００４２】
［２１］前記送出機構（３０）は、調整部材（３９）を備え、
前記調整部材（３９）は、該調整部材（３９）と前記カウント部材（３８）との間に形成されたコイン通過用の隙間を調整できるように配設されている
ことを特徴とする［１９］または［２０］に記載のコイン搬送装置。
【００４３】
［２２］前記カウント部材（３８）は、前記当接するコインの径の大きさに応じて前記原位置から変位する量が変わるように形成されている
ことを特徴とする［１９］、［２０］または［２１］に記載のコイン搬送装置。
【００４４】
［２３］貯留されたコインを１枚ずつ分離して揚送するようにしたコイン搬送装置において、
前記貯留されたコインを１枚ずつ倒伏姿勢にして送り出す送出機構（３０）と、該送出機構（３０）から送られたコインを倒伏姿勢から起立姿勢にする起立機構（４０）と、該起立機構（４０）から送られたコインを起立姿勢に維持しながらコインを揚送する揚送機構（５０）とを備え、
前記揚送機構（５０）は垂直ガイド部材（５２）を備え、
前記垂直ガイド部材（５２）は、コインを起立姿勢に保持しながらコインを垂直方向に案内するように配され、
前記起立機構（４０）は、コインを前記垂直ガイド部材（５２）へ案内する起立ガイド部材（４２）と、コインを前記垂直ガイド部材（５２）へ掻き上げるための羽根部材（４４）を備えた
ことを特徴とするコイン搬送装置。
【００４５】
［２４］前記起立機構（４０）は、コインを前記倒伏姿勢と前記起立姿勢との間の姿勢である前記中間姿勢に保持する中間姿勢保持部（４９）を有し、
前記中間姿勢保持部（４９）は、前記送出機構（３０）から送られたコインの周縁を部分的に落とし込むことで、コインを前記中間姿勢に保持するように形成され、
前記羽根部材（４４）は、前記中間姿勢に保持されたコインを掻き上げるように配されている
ことを特徴とする［１２］または［２３］に記載のコイン搬送装置。
【００４６】
［２５］前記中間姿勢保持部（４９）に落とし込むべきコインの周縁は、前記送出機構（３０）から送られるコインの送り方向に対して両側方向に位置するコインの両側縁の一方（Ｃ２）である
ことを特徴とする［２４］に記載のコイン搬送装置。
【００４７】
［２６］前記送出機構（３０）はカウント部材（３８）を備え、
前記カウント部材（３８）は、付勢力によって原位置に戻るように配され、
さらに、前記カウント部材（３８）は、前記送出用爪（３７）によって送り出されるコインの前記付勢力に優る押力で原位置から変位する一方、
前記送出用爪（３７）によってさらに送り出されるコインの押力に優る付勢力で原位置に戻るように配され、
前記カウント部材（３８）は、コインを掻き上げた前記羽根部材（４４）の下方を通って、前記原位置から変位して、次に掻き上げるべきコインを前記起立機構（４０）に送り出すように配されている
ことを特徴とする［１１］または［１５］に記載のコイン搬送装置。
【００４８】
［２７］前記揚送機構（５０）は垂直ガイド部材（５２）とスクリュー部材（５４）とを備え、
前記垂直ガイド部材（５２）は、コインを起立姿勢に保持しながらコインを垂直方向に案内するように配され、
前記スクリュー部材（５４）は、回転することでその螺旋状の突条（５５）をコインに当てて、コインを１枚ずつ押し上げるように配され、
前記起立機構（４０）の起立ガイド部材（４２）は、コインの面を前記スクリュー部材（５４）の回転軸（５４ａ）に向けて起立姿勢になるようにコインを案内するものであり、
前記起立機構（４０）の羽根部材（４４）は、コインを前記垂直ガイド部材（５２）へ掻き上げたとき、その羽先部（４５）を前記スクリュー部材（５４）の回転軸（５４ａ）に対し外すように配されている
ことを特徴とする［４］または［２３］に記載のコイン搬送装置。
【００４９】
［２８］前記揚送機構（５０）は垂直ガイド部材（５２）とスクリュー部材（５４）とを備え、
前記垂直ガイド部材（５２）は、コインを起立姿勢に保持しながらコインを垂直方向に案内するように配され、
前記スクリュー部材（５４）は、回転することでその螺旋状の突条（５５）をコインに当てて、コインを１枚ずつ押し上げるように配され、
前記起立機構（４０）の起立ガイド部材（４２）は、コインの面を前記スクリュー部材（５４）の回転軸（５４ａ）に向けて起立姿勢になるようにコインを案内するものであり、
前記起立機構（４０）の羽根部材（４４）は、コインを垂直ガイド部材（５２）へ掻き上げたときに、前記羽根部材（４４）の羽先部（４５）によって下方から支えるコインの周縁を、コインを下方から押し上げるために前記スクリュー部材（５４）の突条（５５）によって下方から支えられるコインの周縁との位置から外すように配されている
ことを特徴とする［４］または［２３］に記載のコイン搬送装置。
【００５０】
［２９］前記揚送機構（５０）は、垂直ガイド部材（５２）とスクリュー部材（５４）とを備え、
前記垂直ガイド部材（５２）は、コインの面を前記スクリュー部材（５４）の回転軸（５４ａ）に向けた起立姿勢にコインを保持しながらコインを垂直方向に案内するように配され、
前記スクリュー部材（５４）は、回転することでその螺旋状の突条（５５）をコインの下縁（Ｃ３）に当てて、コインを１枚ずつ押し上げるように配されている
ことを特徴とする［４］に記載のコイン搬送装置。
【００５１】
［３０］貯留されたコインを１枚ずつ分離して揚送するようにしたコイン搬送装置において、
前記貯留されたコインを１枚ずつ倒伏姿勢にして送り出す送出機構（３０）と、該送出機構（３０）から送られたコインを倒伏姿勢から起立姿勢にする起立機構（４０）と、該起立機構（４０）から送られたコインを起立姿勢に維持しながらコインを揚送する揚送機構（５０）とを備え、
前記揚送機構（５０）は、垂直ガイド部材（５２）とスクリュー部材（５４）とを備え、
前記垂直ガイド部材（５２）は、コインの面を前記スクリュー部材（５４）の回転軸（５４ａ）に向けた起立姿勢にコインを保持しながらコインを垂直方向に案内するように配され、
前記スクリュー部材（５４）は、回転することでその螺旋状の突条（５５）をコインの下縁（Ｃ３）に当てて、コインを１枚ずつ押し上げるように配されている
ことを特徴とするコイン搬送装置。
【００５２】
［３１］貯留されたコインを１枚ずつ分離して揚送するようにしたコイン搬送装置において、
前記貯留されたコインを１枚ずつ倒伏姿勢にして送り出す送出機構（３０）と、該送出機構（３０）から送られたコインを倒伏姿勢から起立姿勢にする起立機構（４０）と、該起立機構（４０）から送られたコインを起立姿勢に維持しながらコインを揚送する揚送機構（５０）と、前記送出機構（３０）または前記揚送機構（５０）の少なくとも一方を駆動するための駆動機構（６０）とを備え、
前記駆動機構（６０）は、モータ（Ｍ１）と、該モータ（Ｍ１）の動力を前記送出機構（３０）または前記揚送機構（５０）の少なくとも一方に伝達するための１または複数の平歯車（１６１…）とを備え、
前記１または複数の平歯車（１６１…）は、該平歯車（１６１…）の回転軸を略垂直に配置した状態で前記モータ（Ｍ１）の動力を受けることで、前記１または複数の平歯車（１６１…）が高さ方向で該平歯車（１６１…）の歯幅とほぼ同じ寸法の中に収まるように配されている
ことを特徴とするコイン搬送装置。
【００５３】
［３２］前記駆動機構（６０）は、該駆動機構（６０）の本体であるベース（２１ａ）と、モータ（Ｍ１）と、該モータ（Ｍ１）の動力を前記送出機構（３０）または前記揚送機構（５０）の少なくとも一方に伝達するための１または複数の平歯車（１６１…）とを備え、
前記モータ（Ｍ１）は、前記ベース（２１ａ）の上面側に配され、
前記１または複数の平歯車（１６１…）は、前記ベース（２１ａ）の下面側にあって、該下面に沿うように配されている
ことを特徴とする［３１］に記載のコイン搬送装置。
【００５４】
［３３］前記投入用ガイド部材（５８）は、外部から前記投入口（１７）にコインを直接投入することができるように形成されている
ことを特徴とする［１３］に記載のコイン揚送装置。
【００５５】
［３４］前記投入用ガイド部材（５８）は、コインを差し込むための２つの差込口（５８ｃ、５８ｄ）が開設されるとともに、該２つの差込口（５８ｃ、５８ｄ）にそれぞれ差し込まれたコインを前記投入口（１７）に案内するためのガイド溝（５８ｅ）が形成され、
さらに、前記投入用ガイド部材（５８）は、前記貯留部（１５）側から１枚ずつ分離され揚送されたコインを前記２つの差込口（５８ｃ、５８ｄ）の一方からガイド溝（５８ｅ）を通して前記投入口（１７）に直接投入することができるように形成されるとともに、外部から前記２つの差込口（５８ｃ、５８ｄ）の他方からガイド溝（５８ｅ）を通して前記投入口（１７）にコインを直接投入することができるように形成されている
ことを特徴とする［１３］に記載のコイン揚送装置。
【００５６】
［３５］前記２つの差込口（５８ｃ、５８ｄ）の一方は、該差込口（５８ｃ）にコインを差し込むとき、該差し込む者の方へコインの表面あるいは裏面が向くように開設されている
ことを特徴とする［３４］に記載の遊技機。
【００５７】
［３６］前記貯留部（１５）側からコインを１枚ずつ分離して揚送し前記２つの差込口（５８ｃ、５８ｄ）の一方からガイド溝（５８ｅ）を通して前記投入口（１７）に直接投入することが可能なとき、前記２つの差込口（５８ｃ、５８ｄ）の他方を閉める一方、前記投入口（１７）に直接投入することが不能なとき、前記２つの差込口（５８ｃ、５８ｄ）の他方を開くための制限部材を備えた
ことを特徴とする［３４］に記載の遊技機。
【００５８】
本発明に係るコイン搬送装置は例えば遊技機（１０）に備えられる。また、コイン搬送装置は、コインを用いる自動販売機、券売機、両替機などのコイン使用機にも備えることができる。コイン搬送装置を備えた遊技機（１０）等は、コインを溜めるための貯留部（１５）と、貯留部（１５）の上方に位置する投入口（１７）とを有している。コイン搬送装置は、貯留部（１５）側からコインを１枚ずつ分離して揚送し投入口（１７）に直接投入することができる。
【００５９】
次に、コインの動きの概要について説明する。貯留部（１５）側にあるコインは、送出機構（３０）によって１枚ずつ倒伏姿勢にして送り出される。送出機構（３０）から送られたコインは、起立機構（４０）によって、倒伏姿勢から起立姿勢にされて送られる。起立機構（４０）から送られたコインは、起立姿勢に維持されながら揚送され、揚送されたコインは投入口（１７）に直接投入される。
【００６０】
次に、貯留部（１５）側から送出機構（３０）へ送られるコインの動きについて説明する。
送出機構（３０）と貯留部（１５）との間に起立機構（４０）が介在していないので、貯留部（１５）側からコインを送出機構（３０）へ送る場合に、起立機構（４０）が邪魔になることはない。貯留部（１５）内のコインは送出機構（３０）の収容部材（３１）に受け入れる。このとき、手を貯留部（１５）内に入れ、入れた手の触感だけで、貯留部（１５）内のコインを見ることなく収容部材（３１）に掻き寄せる。貯留部（１５）内のコインは、収容部材（３１）のコイン搬入口（３２）を通って収容部材（３１）内に掻き寄せられる。この間、目を貯留部（１５）内のコインの方へ移す必要がなく、遊技をしながら貯留部（１５）内のコインを掻き寄せることができる。
【００６１】
収容部材（３１）内で送り部材（３５）を回転すると、コインは、送り部材（３５）の上面側から送出用孔（３６）に１枚ずつ取り入れられ、送り部材（３５）の下面側に移動し、下面側の送出用爪（３７）で送り出される。このように、コインは送出用孔（３６）で次々拾われ、送出用爪（３７）で次々に送り出される。
【００６２】
また、収容部材（３１）内で送り部材（３５）を回転すると、コインは、係止部材（２９）に当たって、係止部材（２９）に係止しながら、送出用孔（３６）へ相対移動する。やがて、コインは送出用孔（３６）に強制的に嵌入する。このようにして、コインは、いつまでも送出用孔（３６）に嵌入しないで、収容部材（３１）内で回転を続けることがない。
【００６３】
コインは、送出用爪（３７）によって直接的に起立機構（４０）に送り出されるようにしてもよい。また、送出用爪（３７）によってある程度まで送り出して、カウント部材（３８）によって起立機構（４０）に送り出すようにしてもよい。カウント部材（３８）は付勢力で原位置に戻るようになっている。
【００６４】
送出用爪（３７）によって送り出されるコインの押力が付勢力に優ると、コインは、カウント部材（３８）を原位置から変位させる。コインは送出用爪（３７）によってさらに送り出され、やがて、コインの押力に付勢力が優るようになると、カウント部材（３８）を原位置に戻すようにしている。カウント部材（３８）を原位置に戻すことによって、コインは起立機構（４０）に送り出される。
【００６５】
また、コインは、調整部材（３９）とカウント部材（３８）との間に形成されたコイン通過用の隙間を通過する。調整部材（３９）により隙間を狭めに調整することで、コインは、大きな力でカウント部材（３８）を押し、カウント部材（３８）を大きく変位させる。反対に、調整部材（３９）により隙間を広めに調整することで、コインは、小さな力でカウント部材（３８）を押し、カウント部材（３８）を小さく変位させる。コインは、このように隙間を通過していき、やがて、付勢力で原位置に戻るカウント部材（３８）によって、適正な力で、かつ、所定方向に押し返される。それにより、コインは、確実に起立機構（４０）に送り出される。
【００６６】
一方で、カウント部材（３８）の動きによりコインの通過を検出することができる。コインの通過がなければ、搬送装置の駆動停止をすることができる。それにより、コインのない状態で駆動し続けるコインの空送りを防止することができる。
【００６７】
また、コインは、その径の大さに応じてカウント部材（３８）を原位置から大きく変位させる。コインは、カウント部材（３８）の原位置から変位する量に基づいて選別される。コインは、所定径以外の異径のものであれば、カウント部材（３８）で選別され、コインのサイズが確認される。
【００６８】
次に、起立機構（４０）へ送られるコインの動きについて説明する。送出機構（３０）から送られたコインの周縁は、部分的に中間姿勢保持部（４９）に落とし込まれる。それにより、コインは、倒伏姿勢と起立姿勢との間の姿勢である中間姿勢になって保持される。
【００６９】
中間姿勢に保持されたコインは、羽根部材（４４）で掻き上げられ、起立ガイド部材（４２）によって垂直ガイド部材（５２）へ案内される。
【００７０】
コインは、送出機構（３０）によるコインの送り方向に対して両側方向に位置するコインの両側縁の一方（Ｃ２）を中間姿勢保持部（４９）に落とし込まれる。このようにすれば、コインは、送出機構（３０）からわずかに送り出された位置で中間姿勢保持部（４９）に落とし込まれた場合であっても、送出機構（３０）と干渉せずに送出機構（３０）に沿うように移動する羽根部材（４４）によって掻き上げられる。
【００７１】
起立機構（４０）の羽根部材（４４）によってコインを垂直ガイド部材（５２）へ掻き上げたとき、羽根部材（４４）の羽先部（４５）をスクリュー部材（５４）の回転軸（５４ａ）に対し外すようにしたので、コインは、羽根部材（４４）の羽先部（４５）に十分に乗るような形で、羽根部材（４４）に掻き上げられ、コインは、起立機構（４０）から揚送機構（５０）へ確実に送られる。このとき、羽根部材（４４）の羽先部（４５）をスクリュー部材（５４）側へ深く進入させても、スクリュー部材（５４）の回転軸（５４ａ）と当たらないようになる。
【００７２】
羽根部材（４４）によってコインを垂直ガイド部材（５２）へ掻き上げたときに、羽根部材（４４）の羽先部（４５）によって下方から支えるコインの周縁と、コインを下方から押し上げるためにスクリュー部材（５４）の突条（５５）によって下方から支えるコインの周縁例えば下縁（Ｃ３）との位置を別々にしたので、コインは、スクリュー部材（５４）の突条（５５）によって十分に支えられた後に、羽根部材（４４）から外れるようになり、この点からも、コインは、起立機構（４０）から揚送機構（５０）へ確実に送られる。羽根部材（４４）の羽先部（４５）とスクリュー部材（５４）の突条（５５）とで共にコインを支えたときに、羽根部材（４４）の羽先部（４５）とスクリュー部材（５４）の突条（５５）とは、両者間に生じる隙間によって干渉し合うことがない。
【００７３】
また、コインは、起立機構（４０）から揚送機構（５０）に送られるが、起立機構（４０）と揚送機構（５０）とは共に送出機構（３０）の近傍にあって、相互に近接しているので、コインは起立機構（４０）から揚送機構（５０）へ短い移動量で送られる。
【００７４】
次に、揚送機構（５０）の垂直ガイド部に送られるコインの動きについて説明する。スクリュー部材（５４）が回転すると、コインは、その螺旋状の突条（５５）に沿って進むようになり、１枚ずつ押し上げられる。
【００７５】
コインは、垂直ガイド部材（５２）によって、コインの面をスクリュー部材（５４）の回転軸（５４ａ）に向けた起立姿勢に保持されながら垂直方向に案内される。それにより、コインは、コインの下縁（Ｃ３）にスクリュー部材（５４）の突条（５５）を当てて、スクリューの突条（５５）に乗るような形になり、スクリュー部材（５４）の突条（５５）から外れることなく、スクリュー部材（５４）を回転することで１枚ずつ押し上げられ、確実に揚送される。垂直ガイド部材（５２）に案内されて上昇するコインは、垂直ガイド部材（５２）を透過性のある材料で形成すれば、見ることができる。
【００７６】
コインは、起立姿勢を保持されながら垂直ガイド部材（５２）の上端部に揚送される。揚送されたコインは、投入用ガイド部材（５８）によって、起立姿勢に保持されながら投入口（１７）へ案内される。コインは、投入口（１７）の上方から単に投下されないから、投入口（１７）の周縁で弾かれてしまうことがなく、確実に投入口（１７）に直接投入される。
【００７７】
コイン搬送装置の故障のとき、コインは、自動的に投入口（１７）に直接投入されない。このような故障のときには、投入用ガイド部材（５８）を投入口（１７）から離間させればよい。投入用ガイド部材（５８）を投入口（１７）から離間することで、投入口（１７）を外部に開放する。このようにして、コインは、外部から投入口（１７）に直接投入される。コイン搬送装置の故障のときには、外部に開放した投入口（１７）にコインを手動により投入することができる。コイン搬送装置が復旧したときには、離間していた投入用ガイド部材（５８）を元の位置に戻せばよい。それにより、コインは、自動的に投入口（１７）に直接投入されるようになる。投入用ガイド部材（５８）の離間操作や復帰操作は共に簡単に行うことができる。
【００７８】
また、揚送機構（５０）を駆動するための駆動機構（６０）を備え、駆動機構（６０）が、モータ（Ｍ１）と、モータ（Ｍ１）の動力を送出機構（３０）または揚送機構（５０）の少なくとも一方に伝達するための１または複数の平歯車（１６１…）とを備えたものでは、１または複数の平歯車（１６１…）が、平歯車（１６１…）の回転軸を略垂直に配置した状態でモータ（Ｍ１）の動力を受けるようにすることで、１または複数の平歯車（１６１…）を高さ方向で平歯車（１６１…）の歯幅とほぼ同じ寸法の中に収まるように配することができる。それにより、駆動機構（６０）を薄型にすることができ、コイン搬送装置の全体的な高さも低くなり、スロットマシンを始めとする遊技機や、自動販売機などのコイン使用機に組み込み易くなる。
【００７９】
さらに、モータ（Ｍ１）がベース（２１ａ）の上面側に配され、１または複数の平歯車（１６１…）がベース（２１ａ）の下面側にあって、その下面に沿うように配されているものでは、ベース（２１ａ）より下方の駆動機構（６０）の取付スペースが、平歯車（１６１…）の歯幅とほぼ同じ寸法の中に収まるようになるので、コイン搬送装置をベース（２１ａ）の位置を下げた低床型にすることができる。
【００８０】
また、投入用ガイド部材（５８）が、外部から前記投入口（１７）にコインを直接投入することができるように形成されているものでは、コイン搬送装置の故障等により、コインを自動的に投入口（１７）に投入することができないときも、利用者が投入口（１７）にコインを直接投入することができるので、継続して遊技機等を利用することができ、利用者の要望に答えることができる。
【００８１】
さらに、投入用ガイド部材（５８）は、コインを差し込むための２つの差込口（５８ｃ、５８ｄ）が開設されるとともに、２つの差込口（５８ｃ、５８ｄ）にそれぞれ差し込まれたコインを投入口（１７）に案内するためのガイド溝（５８ｅ）が形成され、さらに、投入用ガイド部材（５８）は、貯留部（１５）側から１枚ずつ分離され揚送されたコインを２つの差込口（５８ｃ、５８ｄ）の一方からガイド溝（５８ｅ）を通して投入口（１７）に直接投入することができるように形成されるとともに、外部から２つの差込口（５８ｃ、５８ｄ）の他方からガイド溝（５８ｅ）を通して投入口（１７）にコインを直接投入することができるように形成されているものでは、例えば、コイン搬送装置を用いてコインを投入する自動投入位置と、手動でコインを投入する手動投入位置とに移動するようにした投入用ガイド部材を設ける必要がないので、構成が簡単になり、投入用ガイド部材の移動操作も不要になるので、使い勝手がよくなる。
【００８２】
さらに、２つの差込口（５８ｃ、５８ｄ）の一方が、その差込口（５８ｃ）にコインを差し込むとき、差し込む者の方へコインの表面あるいは裏面が向くように開設されているものでは、コインを差込口（５８ｃ）に差し込む者がコインを把持したとき、その者の方へコインの表面あるいは裏面が向くようになるから、コインの姿勢を変える必要がなく、そのままコインを差込口（５８ｃ）に差し込むことができ、使い勝手がよい。
【００８３】
さらに、貯留部（１５）側からコインを１枚ずつ分離して揚送し２つの差込口（５８ｃ、５８ｄ）の一方からガイド溝（５８ｅ）を通して前記投入口（１７）に直接投入することが可能なとき、２つの差込口（５８ｃ、５８ｄ）の他方を閉める一方、直接投入することが不能なとき、２つの差込口（５８ｃ、５８ｄ）の他方を開くための制限部材を備えたものでは、コイン搬送装置の非稼働時のみ、コインを外部から投入口（１７）へ直接投入可能にし、コイン搬送装置の稼働時には、コインが誤って外部から投入口（１７）へ投入されないようにしたので、コインの誤投入を防止することができる。
【００８４】
【発明の実施の形態】
以下、本発明の実施の形態を図面に基づいて説明する。図１〜図２４は本発明の第１実施の形態を示している。本発明の第１実施の形態に係るコイン搬送装置は、スロットマシンである遊技機１０に備えられている。
【００８５】
図１〜図５に示すように、遊技機１０の本体１１の正面には、図柄を可変表示した後に停止表示する可変表示部１２が設けられている。可変表示部１２の下方には、スタートレバー１３ａ、ストップボタン１３ｂなどの操作部材が設けられている。それら操作部材の下方には、コインＣ１を溜めるための前皿である貯留部１５が設けられ、貯留部１５の上方には投入口１７が配設されている。貯留部１５は遊技機１０の本体１１から正面側へ張り出している。本コイン搬送装置は、貯留部１５側からコインＣ１を１枚ずつ分離して揚送し投入口１７に直接投入することができるものである。
【００８６】
コイン搬送装置は、貯留部１５側にあるコインＣ１を１枚ずつ倒伏姿勢にして送り出す送出機構３０と、送出機構３０から送られたコインＣ１を倒伏姿勢から起立姿勢にする起立機構４０と、起立機構４０から送られたコインＣ１を起立姿勢に維持しながらコインＣ１を揚送して投入口１７に直接投入する揚送機構５０とを備えている。
【００８７】
図２、図５〜図９に示すように、送出機構３０は貯留部１５に隣接して配されている。送出機構３０は、貯留部１５側とは反対側にコインＣ１を送り出すものである。送出機構３０の近傍には起立機構４０および揚送機構５０が配されている。
【００８８】
送出機構３０は、貯留部１５内のコインＣ１を受け入れるための収容部材３１と、収容部材３１内に配され回転可能な送り部材３５とを備えている。
【００８９】
収容部材３１はベース２１に載置されている。収容部材３１は、矩形状断面形のコイン収容部３３と、送り部材３５を嵌め込むための円形状断面形の嵌合部３４とから形成されている。コイン収容部３３の底部３３ａには、円形断面形状の孔３３ｂが開設されている。円形断面形状の孔３３ｂを下方から塞ぐように、円形状の送り部材３５が配されている。コイン収容部３３の円形断面形状の孔３３ｂは、その外周縁から送り部材３５に向かって傾斜している。
【００９０】
収容部材３１はベース２１に着脱可能に支持されている。ベース２１には３本のロックピン２５が植設されている。ベース２１には、研磨材などを排出するための異物排出孔２８が穿設されている。
【００９１】
収容部材３１の嵌合部３４の下端フランジ３４ａの周縁には、ロックピン２５を堅く嵌合させて収容部材３１を離脱不能にするロック溝３４ｂおよび、ロック溝３４ｂに連続して、ロックピン２５を遊嵌させて収容部材３１を離脱可能にするアンロック溝３４ｃが、各ロックピン２５に対応して凹設されている。収容部材３１をベース２１に着脱するには、収容部材３１をベース２１に対して約１０度回転させて、ロックピン２５をロック溝３４ｂとアンロック溝３４ｃとにそれぞれ相対移動させればよい。
【００９２】
収容部材３１のコイン収容部３３は、貯留部１５内のコインＣ１を収容部材３１内に掻き寄せるためのコイン搬入口３２を有している。コイン搬入口３２は、コイン収容部３３の貯留部１５側の壁面３３ｃに開設されている。コイン搬入口３２の下縁３２ａは、貯留部１５の湾曲形状断面形の底面１６に合わせて形成され、底面１６に滑らかに連続している。
【００９３】
図５、図１３および図１４に示すように、送り部材３５は送出用孔３６と送出用爪３７を有している。送出用孔３６は、収容部材３１内のコインＣ１を１枚ずつ嵌入させるものである。送出用爪３７は、嵌入したコインＣ１を起立機構４０へ送り出すように形成されている。送出用爪３７は、嵌入したコインＣ１を起立機構４０へ送り出すように形成されている。送出用爪３７は回転軸６８ａに対して嵌脱可能に支持されている。
【００９４】
送出用孔３６は送り部材３５の円周方向に所定ピッチでほぼコインＣ１の大きさに穿設されたものであり、送り部材３５の上面から下面に貫かれている。送出用爪３７は、送り部材３５の下面側に形成され、送り部材３５の回転中心側に位置する周縁３６ａから徐々に離れながら送り部材３５の周縁３５ａまで延ばされた湾曲形状の爪である。送出用爪３７の幅はほぼコイン１枚分の厚みになっている。送出用爪３７は、送り部材３５の回転時に、送出用爪３７の基端側から先端側へコインＣ１を相対移動させるように形成されている。送り部材３５の周縁３５ａには、図５に示すように、円周方向に沿ってフランジアップ部３５ｂが形成されている。フランジアップ部３５ｂは、収容部材３１に入ったコインＣ１を逃がさないようになっている。
【００９５】
また、送り部材３５の下面側には、送出用爪３７と一体的に環状部３７ａが形成されている。環状部３７ａは、下面側から送出用孔３６の中心部を横切るように配されている。環状部３７ａの外周縁には、３つの送出用孔３６に対応して凸部３７ｂが形成されている。環状部３７ａは、送出用孔３６に嵌入したコインＣ１を下面側から受け止めるものであり、環状部３７ａおよび凸部３７ｂは、送出用爪３７によって送り出されるコインＣ１を下面側から支持するものである。
【００９６】
さらに、ベース２１にはコインＣ１を強制的に追い出すための２つの凸部２２、２３が形成されている。凸部２２、２３は、送出用爪３７によって送り出されるコインＣ１の姿勢や方向が適正でなく、そのままでは起立機構４０側に送り出されない場合に、コインＣ１姿勢や方向を適正なものに矯正するものであり、送出用爪３７が機能している通常時には使われることがないものである。また、凸部２２、２３に干渉しないように、送り部材３５の下面側には逃げ溝３５ｂが形成されている。
【００９７】
図１９および図２０に示すように、送出機構３０は係止部材２９を備えている。係止部材２９は、送り部材３５の回転時に、係止したコインＣ１を送出用孔３６へ相対移動させるものである。
【００９８】
係止部材２９は、コイル部材２９ａを介して収容部材３１のコイン収容部３３に支持されている。コイル部材２９ａは、コインＣ１に係止してコインＣ１を移動させるときに係止部材２９にかかる衝撃を吸収するものである。係止部材２９は、送り部材３５の回転時に、周回する送出用孔３６の中心部の移動軌跡上に配されている。
【００９９】
図１０〜図１２および図１５に示すように、送出機構３０はカウント部材３８を備えている。カウント部材３８は、枢軸３８ｄにより揺動可能に支持されている。カウント部材３８はばね部材３８ａの付勢力によって原位置（図１０においてＡ１位置）に戻るように配されている。さらに、カウント部材３８は、送出用爪３７によって送り出されるコインＣ１の付勢力に優る押力で原位置から図１０においてＡ２位置に変位する一方、送出用爪３７によってさらに送り出されるコインＣ１の押力に優る付勢力で原位置に戻るように配されている。
【０１００】
カウント部材３８は、コインＣ１の押力に優る付勢力で原位置に戻るとき、コインＣ１を起立機構４０へ送り出すように配されている。
【０１０１】
カウント部材３８は、当接するコインＣ１の径の大きさに応じて原位置から変位する量が変わるように形成されている。カウント部材３８は、コ字状断面形状のブラケット３８ｂの上面部にベアリング３８ｃを支持するとともに、ブラケット３８ｂの下面部に被検出用突起３８ｇを設けて成る。ベアリング３８ｃはベース２１の上面側に配され、被検出用突起３８ｇは、ベース２１の下面側に配されている。
【０１０２】
被検出用突起３８ｇの揺動量を検出するための２つの近接スイッチ３８ｅ、３８ｆが配設されている。２つの近接スイッチ３８ｅ、３８ｆは、共に被検出用突起３８ｇを検出すると、カウント部材３８を押しているのはゲーム用のメダル（径約２５ｍｍ）であることを検出し、近接スイッチ３８ｅのみが被検出用突起３８ｇを検出すると、カウント部材３８を押しているのは２０ｍｍ〜２３．５ｍｍの各種の硬貨（１円〜１００円）であることを検出するように構成されている。
【０１０３】
さらに、送出機構３０は調整部材３９を備えている。調整部材３９は、調整部材３９とカウント部材３８との間に形成されたコイン通過用の隙間を調整できるように配設されている。また、カウント部材３８と調整部材３９は、コインＣ１を起立機構４０に案内するための案内路を形成している。
【０１０４】
図５〜図７、図１０および図１１に示すように、起立機構４０は、送出機構３０を間にして貯留部１５とはほぼ反対の位置であって、遊技機１０の本体１１に寄った位置に配されている。起立機構４０は、コインＣ１を垂直ガイド部材５２へ案内する起立ガイド部材４２と、コインＣ１を垂直ガイド部材へ掻き上げるための羽根部材４４と、コインＣ１を倒伏姿勢と起立姿勢との間の姿勢である中間姿勢に保持する中間姿勢保持部４９とを備えている。
【０１０５】
起立ガイド部材４２は、コインＣ１の面をスクリュー部材５４の回転軸５４ａに向けて起立姿勢になるようにコインＣ１を案内するものである。起立ガイド部材４２は、コインＣ１の周縁部をコインＣ１の面方向に対し平行な方向で両方向から挟みながら起立姿勢になるように案内するものである。起立ガイド部材４２は、羽根部材４４を通過させるための通過用の溝が形成されている。
【０１０６】
羽根部材４４は、コインＣ１を垂直ガイド部材５２へ掻き上げたとき、その羽先部４５をスクリュー部材５４の回転軸５４ａに対し外すように配されている。その回転軸５４ａに対し外れる量（図１０に示すＬ１）は、約４〜５ｍｍである。
【０１０７】
また、羽根部材４４は、コインＣ１を垂直ガイド部材５２へ掻き上げたときに、羽根部材４４の羽先部４５によって下方から支えるコインＣ１の周縁Ｃ４を、コインＣ１を下方から押し上げるためにスクリュー部材５４の突条５５によって下方から支えられるコインＣ１の周縁（下縁Ｃ３）の位置から外すように配されている。コインＣ１の下縁Ｃ３とコインＣ１の周縁Ｃ４との上下方向の差（図６に示すＬ２）は約１．２〜１．６ｍｍである。図６ではその差を強調して示している。
【０１０８】
中間姿勢保持部４９は、送出機構３０から送られたコインＣ１の周縁を部分的に落とし込むことで、コインＣ１を中間姿勢に保持するように形成されている。羽根部材４４は、中間姿勢に保持されたコインＣ１を掻き上げるように配されている。
【０１０９】
中間姿勢保持部４９に落とし込むべきコインＣ１の周縁は、送出機構３０から送られるコインＣ１の送り方向に対して両側方向に位置するコインＣ１の一方の側縁Ｃ２である。中間姿勢保持部４９は、ベース２１の上面部に形成され、コインＣ１の側縁Ｃ２を落とし込むための嵌入溝４９ａと、嵌入溝４９ａからスクリュー部材５４に向かって徐々に上がり勾配になった円弧状溝４９ｂとから成る。嵌入溝４９ａは２段になっている。図６に示すように、送出機構４０は、コインＣ１を嵌入溝４９ａの下段側に送り込むように構成されている。また、中間姿勢保持部４９には、羽根部材４４の羽先部４５との干渉を回避するための逃げ溝４９ｃが形成されている。
【０１１０】
図３〜図８に示すように、揚送機構５０は、起立機構から遊技機１０の本体１１の方へさらに寄った位置に配されている。揚送機構５０は、垂直ガイド部材５２と、スクリュー部材５４と、投入用ガイド部材５８を備えている。遊技機１０の本体１１のコーナー部は垂直ガイド部材５２およびスクリュー部材５４を設けるために面取りが施されている。
【０１１１】
垂直ガイド部材５２は、コインＣ１の面をスクリュー部材５４の回転軸５４ａに向けた起立姿勢にコインＣ１を保持しながらコインＣ１を垂直方向に案内するように配されている。垂直ガイド部材５２は、正面開口を有するコ字状断面形状のレール部材５２ａと、レール部材５２ａの両側壁部に沿設される一対のガイド溝部材５２ｂとから成る。一対のガイド溝部材５２ｂは、コインＣ１の周縁部をコインＣ１の面方向に対し平行な方向で両方向から挟むようにすることでコインＣ１を起立姿勢に保持しながらコインＣ１を上下方向へ案内するものである。垂直ガイド部材５２の正面開口は、上方へ案内されるコインＣ１を確認するための開口になっている。
【０１１２】
スクリュー部材５４は、回転することでその螺旋状の突条５５をコインＣ１の下縁Ｃ３に当てて、コインＣ１を１枚ずつ押し上げるように配されている。スクリュー部材５４の下端部にはベベルギア６２が固設されている。スクリュー部材５４の上端部は、垂直ガイド部材５２の上端部に回転可能に支持されている。
【０１１３】
図３、図４および図８に示すように、投入用ガイド部材５８は、垂直ガイド部材５２の上端部に揚送されたコインＣ１を同じく起立姿勢に保持しながらコインＣ１を投入口１７へ案内するように形成されている。
【０１１４】
投入口１７は、前板部材１７ａと後板部材１７ｂとの間の隙間であり、前板部材１７ａの上縁は円弧状に凹設され、コインＣ１を入れ易いように形成されている。一方、後板部材１８ｂの上縁は円弧状に凸設され、コインＣ１を投入口１７に案内するための案内壁になっている。
【０１１５】
投入用ガイド部材５８は垂直ガイド部材５２の上端口５２ｄと投入口１７とを連絡するもので、２つのガイド部材５８ａ、５８ｂを組み合わせて成る。ガイド部材５８ｂは、下縁が後板部材１７ｂの上縁に合わさるように円弧状に形成されている。
【０１１６】
また、投入用ガイド部材５８は、投入口１７から離間することで、投入口１７を外部に開放し、外部からコインＣ１を投入口１７に直接投入できるように配されている。投入用ガイド部材５８は、垂直ガイド部材５２の案内部５２ｃにより、垂直ガイド部材５２の上端部５２ｅと共に投入口１７から上方へ離間した非連絡位置と、投入口１７に近接した連絡位置とに上下移動可能に支持されている。
【０１１７】
図１６〜図１８に示すように、ベース２１の下方にはコイン搬送装置の駆動機構６０が配設されている。駆動機構６０は、モータＭ１の動力が減速機構６９を介して駆動シャフト７１に伝達されるようになっている。駆動シャフト７１にはベベルギア６１と平歯車６３とが固設されている。ベベルギア６１はベベルギア６２に噛合しており、ベベルギア６２にはスクリュー部材５４の回転軸５４ａに固設されている。
【０１１８】
ベベルギア６２と一体的に平歯車６２ａが形成されている。平歯車６２ａの動きはアイドルギア６７を介して平歯車６８に伝達されるようになっている。平歯車６８の回転軸６８ａには、送り部材３５が固設されている。平歯車６２ａが１回転すると、平歯車６８が１／３回転するように構成されている。それにより、スクリュー部材５４が１回転すると、送り部材３５が１／３回転するようになっている。
【０１１９】
また、羽根部材４４は平歯車６６の回転軸６６ａに固設されている。平歯車６２ａの動きは、ベベルギア６１、平歯車６３、平歯車６４、平歯車６５を介して、平歯車６６に伝達されるようになっている。平歯車６２ａが１回転すると、平歯車６６が１回転するように構成されている。それにより、スクリュー部材５４が１回転すると、羽根部材４４が１回転するように構成されている。
【０１２０】
駆動機構６０のモータＭ１を始動すると、駆動シャフト７１が回転し、ベベルギア６１および平歯車６３が回転し、ベベルギア６１に噛合する平歯車６２ａが回転して、これと一体的にスクリュー部材５４の回転軸５４ａが回転する。
【０１２１】
また、ベベルギア６１と一体的に平歯車６２ａが回転し、アイドルギア６７を介して平歯車６８が回転し、平歯車６８の回転軸６８ａと一体的に送出機構３０の送り部材３５が回転する。
【０１２２】
さらに、平歯車６３が回転すると、平歯車６４、６５を介して平歯車６６が回転し、平歯車６６の回転軸６６ａと一体的に羽根部材４４が回転する。
【０１２３】
このとき、スクリュー部材５４が１回転すると、収容部材３１内で送り部材３５が１／３回転し、羽根部材４４が１回転する。
【０１２４】
次に、貯留部１５側から送出機構３０へ送られるコインＣ１の動きについて説明する。スロットマシンである遊技機１０においては、コインＣ１を投入口１７に投入することで、可変表示部１２で表示遊技の実行する権利を与え、可変表示部１２の表示結果が予め定められた特定表示態様になると、前皿である貯留部１５に所定数のコインＣ１を払い出すようになっている。遊技者は、貯留部１５内のコインＣ１を送出機構３０の収容部材３１に必要により入れて遊技する。
【０１２５】
送出機構３０と貯留部１５との間に起立機構４０が介在していないので、貯留部１５側からコインＣ１を送出機構３０へ移動する場合に、起立機構４０が邪魔にならずに、貯留部１５内のコインＣ１は送出機構３０の収容部材３１に受け入れられる。
【０１２６】
遊技者は、手を貯留部１５内に入れ、入れた手の触感だけで、貯留部１５内のコインＣ１を見ることなく収容部材３１に掻き寄せることができる。貯留部１５内のコインＣ１は、収容部材３１のコイン搬入口３２を通って収容部材３１内に掻き寄せられる。貯留部１５内のコインＣ１を掻き寄せる間、遊技者は、目を貯留部１５内のコインＣ１の方へ移す必要がなく、可変表示部１２に目を向けたまま貯留部１５内のコインＣ１を掻き寄せることができる。
【０１２７】
遊技者は、各遊技において遊技結果が出た後に、空いた手で、貯留部１５内のコインＣ１を掻き寄せることができる。また、遊技者は、遊技中においても、ストップボタン１３ａを押した後に、貯留部１５内のコインＣ１を掻き寄せることができる。遊技者がコインＣ１を掻き寄せた後に、可変表示部１２が図柄を停止表示し、遊技結果に応じてコインＣ１が貯留部１５に払い出される。
【０１２８】
遊技者は、次の遊技を行うべく、投入口１７に直接投入すべきコインＣ１の数を決め、コイン搬送装置を駆動し、収容部材３１内の送り部材３５を回転する。
【０１２９】
収容部材３１内で送り部材３５を回転すると、コインＣ１は、送り部材３５の上面側から送出用孔３６に１枚ずつ取り入れられ、送り部材３５の下面側に移動し、下面側の送出用爪３７で送り出される。このように、貯留部１５内から収容部材３１内に掻き寄せられたコインＣ１は送出用孔３６で次々拾われ、送出用爪３７で次々に送り出される。
【０１３０】
また、収容部材３１内で送り部材３５を回転すると、コインＣ１は、係止部材２９に当たって、係止部材２９に係止しながら、送出用孔３６へ相対移動する。やがて、コインＣ１は送出用孔３６に強制的に嵌入する。このようにして、コインＣ１は、いつまでも送出用孔３６に嵌入しないで、収容部材３１内で回転を続けることがなく、送出用孔３６で次々拾われ、送出用爪３７で次々に送り出される。
【０１３１】
コインＣ１は、送出用爪３７によって直接的に起立機構４０に送り出されるようにしてもよい。本実施の形態においては、コインＣ１は、送出用爪３７によってある程度まで送り出して、カウント部材３８によって起立機構４０に送り出すようになっている。また、カウント部材３８は付勢力で原位置に戻るようになっている。
【０１３２】
送出用爪３７によって送り出されるコインＣ１は、カウント部材３８に当接し、カウント部材３８を押す。コインＣ１の押力が付勢力に対して優ると、コインＣ１は、カウント部材３８を原位置（図１０に示すＡ１位置）から変位させる。コインＣ１は送出用爪３７によってさらに送り出され、カウント部材３８をさらに押し、カウント部材３８は図１０に示すＡ２位置に変位する。やがて、コインＣ１の押力に対して付勢力が優るようになると、カウント部材３８を原位置に戻すようになる。カウント部材３８を原位置に戻すことによって、コインＣ１は、カウント部材３８に押し出されて、起立機構４０に送り出される。
【０１３３】
送出用爪３７で送り出されたコインＣ１は、調整部材３９とカウント部材３８との間に形成されたコイン通過用の隙間を通過する。調整部材３９によってコイン通過用の隙間を調整することができる。すなわち、コイン通過用の隙間を狭めに調整することで、コインＣ１はカウント部材３８を大きく押し込み、カウント部材３８を大きく変位させる。コインＣ１の押力も大きくなる。反対に、コイン通過用の隙間を広めに調整することで、コインＣ１は、カウント部材３８をわずかに押し込み、カウント部材３８を小さく変位させる。コインＣ１の押力も小さくなる。コインＣ１は、このように隙間を通過していき、やがて、付勢力で原位置に戻るカウント部材３８によって、適正な力で、かつ、所定方向に押し返される。それにより、コインＣ１は、確実に起立機構４０の中間姿勢保持部４９に送り出される。
【０１３４】
一方で、カウント部材３８の動きによりコインＣ１の通過を検出することができる。コインＣ１の通過は近接スイッチ３８ｅ、３８ｆで検出することができる。近接スイッチ３８ｅ、３８ｆは、カウント部材３８の被検出用突起３８ｇの動きを検知する。被検出用突起３８ｇの動きを近接スイッチ３８ｅ、３８ｆで検知しないとき、コインＣ１の通過がないので、搬送装置の駆動停止をすることができる。それにより、コインＣ１のない状態で駆動し続けるコインＣ１の空送りを防止することができる。
【０１３５】
また、コインＣ１は、その径の大さに応じてカウント部材３８を原位置から大きく変位させる。近接スイッチ３８ｅ、３８ｆは、共にカウント部材３８の被検出用突起３８ｇの動きを検知すれば、大径のコインＣ１であることを検出し、近接スイッチ３８ｅのみがカウント部材３８の被検出用突起３８ｇの動きを検知すれば、小径のコインＣ１であることを検出する。
【０１３６】
コインＣ１は、被検出用突起３８ｇの動き量、すなわち、カウント部材３８の原位置から変位する量に基づいて選別される。コインＣ１は、所定径以外の異径のものであれば、カウント部材３８で選別される。選別されたコインＣ１のサイズが確認される。
【０１３７】
次に、起立機構４０へ送られるコインＣ１の動きについて説明する。送出機構３０から送られたコインＣ１の周縁は、部分的に中間姿勢保持部４９に落とし込まれる。それにより、コインＣ１は、倒伏姿勢と起立姿勢との間の姿勢である中間姿勢になって保持される。
【０１３８】
中間姿勢に保持されたコインＣ１は、羽根部材４４で掻き上げられ、起立ガイド部材４２によって垂直ガイド部材５２へ案内される。
【０１３９】
コインＣ１は、送出機構３０によるコインＣ１の送り方向に対して両側方向に位置するコインＣ１の両側縁Ｃ２の一方を中間姿勢保持部４９に落とし込まれる。このようにすれば、コインＣ１は、送出機構３０からわずかに送り出された位置で中間姿勢保持部４９に落とし込まれた場合であっても、羽根部材４４によって掻き上げられる。このとき、羽根部材４４は送出機構３０に沿うように移動し、羽根部材４４と送出機構３０とは干渉しない。
【０１４０】
コインＣ１は、起立機構４０の羽根部材４４によって垂直ガイド部材５２へ掻き上げられる。コインＣ１を掻き上げる羽根部材４４の羽先部４５をスクリュー部材５４の回転軸５４ａに対し外すようにしている。回転軸５４ａに対し外した外し量Ｌ１を図１０に示している。約４〜５ｍｍの外し量Ｌ１を設けることで、外し量Ｌ１を設けない場合に比べて、羽根部材４４の羽先部４５をスクリュー部材５４の回転軸５４ａ側へ約０．５〜１．２ｍｍ程度深く進入させても、羽先部４５が回転軸５４ａに当たらないようになる。
【０１４１】
仮に、外し量Ｌ１を設けない場合には、コインＣ１は、羽根部材４４の羽先部４５にわずかに引っかかっている形で掻き上げられることになる。外し量Ｌ１を設けたことにより、コインＣ１は、羽根部材４４の羽先部４５に十分に乗るような形で、羽根部材４４に掻き上げられ、コインＣ１は、起立機構４０から揚送機構５０へ確実に送られる。
【０１４２】
コインＣ１を羽根部材４４によって垂直ガイド部材５２へ掻き上げたときに、図６に示すように、羽根部材４４の羽先部４５によって下方から支えるコインＣ１の周縁Ｃ４と、コインＣ１を下方から押し上げるためにスクリュー部材５４の突条５５によって下方から支えるコインＣ１の下縁Ｃ３との位置を別々にしていることで、また、羽根部材４４の回転とスクリュー部材５４の回転とのタイミングをとることで、コインＣ１は、クリュー部材の突条５５によって十分に支えられた後に、羽根部材４４から外れるようになり、コインＣ１は、羽根部材４４または突条５５の少なくとも一方で必ず支えられているので、起立機構４０から揚送機構５０へ確実に送られる。羽根部材４４の羽先部４５とスクリュー部材５４の突条５５とで共にコインＣ１を支えたときに、羽根部材４４の羽先部４５とスクリュー部材５４の突条５５とは、両者間に生じる隙間（図６に示すＬ２）によって干渉し合うことがない。
【０１４３】
このように、コインＣ１は、起立機構４０から揚送機構５０に送られるが、起立機構４０と揚送機構５０とは共に送出機構３０の近傍にあって、相互に近接しているので、コインＣ１は起立機構４０から揚送機構５０へ短い移動量で送られるようになる。
【０１４４】
次に、揚送機構５０の垂直ガイド部材５２に送られるコインＣ１の動きについて説明する。コインＣ１は、スクリュー部材５４の螺旋状の突条５５に乗せられていて、スクリュー部材５４が回転すると、その突条５５に沿って進むことで、１枚ずつ押し上げられる。
【０１４５】
コインＣ１は、コインＣ１の面をスクリュー部材５４の回転軸５４ａに向けた起立姿勢に保持されながら垂直方向に案内される。このとき、コインＣ１の周縁は、垂直ガイド部材５２のガイド溝部材５２ｂによりコインＣ１の面方向に対し平行な方向で両方向から挟まれるようになっている。
【０１４６】
コインＣ１が垂直方向に案内されるとき、コインＣ１の下縁Ｃ３は、スクリュー部材５４の突条５５に乗るような形になっているので、コインＣ１は、スクリュー部材５４の突条５５から外れることなく、スクリュー部材５４を回転することで１枚ずつ押し上げられ、確実に揚送される。また、垂直ガイド部材５２に正面開口が形成されているので、垂直ガイド部材５２に案内されて上昇していくコインＣ１を遊技者や利用者が見ることができ、安心感を与えることができる。
【０１４７】
コインＣ１は、起立姿勢を保持されながら垂直ガイド部材５２の上端部５２ｅに揚送される。揚送されたコインＣ１は、スクリュー部材５４の突条５５が、垂直ガイド部材５２の上端口５２ｄに向かって下方に傾斜しているので、図８に示すように、スクリュー部材５４の突条５５に沿って垂直ガイド部材５２の上端口５２ｄ側へ移動し、その上端口５２ｄを出て、投入用ガイド部材５８の投入用ガイド部材５８ａおよびガイド部材５８ｂを通って、起立姿勢に保持されながら投入口１７へ移動する。移動したコインＣ１は、投入口１７の後板部材１７ｂに案内されて、投入口１７に確実に直接投入される。コインＣ１は、投入口１７の上方から単に投下されるものではないので、投入口１７の周縁で弾かれてしまうことがない。
【０１４８】
コイン搬送装置の故障のとき、コインＣ１は、自動的に投入口１７に直接投入されない。このような故障のときには、投入用ガイド部材５８を投入口１７から離間させればよい。
【０１４９】
投入用ガイド部材５８は、垂直ガイド部材５２の上端部５２ｅと共に投入口１７から上方へ離間した非連絡位置と、投入口１７に近接した連絡位置とに上下移動可能に支持されているので、投入用ガイド部材５８を非連絡位置に移動し、投入口１７から離間することで、投入口１７を外部に開放する。
【０１５０】
外部に開放された投入口１７にコインＣ１を直接投入することができる。コイン搬送装置が復旧したときには、離間していた投入用ガイド部材５８を元の連絡位置に戻せばよい。連絡位置に戻った投入用ガイド部材５８により、垂直ガイド部材５２の上端口５２ｄと投入口１７とを連絡することができ、コインＣ１は、自動的に投入口１７に直接投入されるようになる。このように、投入用ガイド部材５８の離間操作や復帰操作は共に簡単に行うことができる。
【０１５１】
なお、前記第１実施の形態では、コイン搬送装置を遊技機に備えたものを示したが、コインＣ１を用いる自動販売機、券売機、両替機などのコイン使用機にも備えることができる。
【０１５２】
また、第１実施の形態では、送出用爪３７およびカウント部材３８との２つの部材でコインＣ１を起立機構４０に送り出すようにしているが、送出用爪３７の先端を起立機構４０の近傍に達するように延設して、コインＣ１を起立機構４０に直接的に送り出すように形成してもよい。それにより、カウント部材３８および調整部材３９が不要になる。
【０１５３】
さらに、前記第１実施の形態では、送り部材３５およびカウント部材３８でコインＣ１を起立機構４０に送り出すものを示したが、図２１〜２４に示すように、送り部材３５および、送出車１３５でコインＣ１を起立機構４０に送り出すようにしても良い。
【０１５４】
さらに、第１実施の形態では、羽根部材４４でコインＣ１を掻き上げるようにしたが、図２１〜２４に示すように、羽根車１４４でコインＣ１を掻き上げるようにしてもよい。
【０１５５】
さらに、第１実施の形態では、起立ガイド部材４２と、垂直ガイド部材５２とを別個にしたものを示したが、図２１〜２４に示すように、コインＣ１を倒伏姿勢から起立姿勢に案内する起立ガイド部材１４２と、コインＣ１を起立姿勢に保持しながら案内する垂直ガイド部材１５２とを一体的に形成してもよい。
【０１５６】
次に、第２実施の形態に係るコイン搬送装置について説明する。第２実施の形態に係るコイン搬送装置の構成において、第１実施の形態に係るコイン搬送装置の構成に対し異なる構成について説明し、同様な構成については、その説明を省略する。
【０１５７】
図２５〜図３６は、本発明の第２実施の形態を示している。
図２５は、揚送機構および駆動機構の内部に配された平歯車等の構成部品を主に示す正面図、図２６はコイン搬送装置の正面図である。図２７はコイン搬送装置の側面図、図２８はコイン搬送装置を送り部材の回転軸に沿って破断して示した断面図、図２９はコイン搬送装置をスクリュー部材の回転軸に沿って破断して示した断面図、図３５はコイン搬送装置の底面図であり、平歯車の配置を主に示した図、図３６はコイン搬送装置において、モータの動力を羽根部材に伝達するための歯車機構を示した図である。
【０１５８】
図２５〜図２９並びに図３５および図３６に示すように、駆動機構６０は、モータＭ１を備え、モータＭ１は、ベース２１ａの上面側に配され、その回転軸が垂直方向になるように配置されている。また、駆動機構６０は、モータＭ１の動力を送出機構３０および揚送機構５０に伝達するための複数の平歯車１６１〜１６６を備えている。さらに、駆動機構６０は、モータＭ１の動力を起立機構４０に伝達するためのベベルギア６１、６２および平歯車６３〜６６を備えている。
【０１５９】
複数の平歯車１６１〜１６６は、各回転軸を略垂直に配置した状態でモータＭ１の動力を受けることで、複数の平歯車１６１〜１６６が高さ方向で平歯車１６１〜１６６の歯幅とほぼ同じ寸法の中に収まるように配されている。
【０１６０】
また、複数の平歯車１６１〜１６６は、ベース２１ａの下面側にあって、その下面に沿うように配されている。ベース２１ａの下方に配された複数の平歯車１６１〜１６６は、その平歯車１６１〜１６６の歯幅とほぼ同じ寸法の中に収まるようになるので、コイン搬送装置をベース２１ａの位置を下げた低床型にすることができる。平歯車１６１は、モータＭ１の回転軸に固設され、平歯車１６２がベベルギア６１に固設され、平歯車１６４がスクリュー部材５４に固設されている。平歯車１６３、１６５はアイドルギアであり、平歯車１６６は送り部材３５の回転軸に固設されている。
【０１６１】
モータＭ１の動力が平歯車１６１〜平歯車１６３〜平歯車１６４に伝わることで、スクリュー部材５４が駆動する。さらに、モータＭ１の動力が、平歯車１６４〜平歯車１６５〜平歯車１６６に伝わることで、送り部材３５が駆動する。また、モータＭ１の動力が平歯車１６１〜平歯車１６２〜ベベルギア６１、６２〜平歯車６３〜平歯車６４〜平歯車６５〜平歯車６６に伝わることで、羽根部材４４が駆動するようになっている。
【０１６２】
図３０はコイン搬送装置の平面図である。図３１はコイン搬送装置の底面図である。図３２はコイン搬送装置のコイン収容部を外すとともに、揚送機構を破断して示した平面図である。図３３はコイン搬送装置のコイン収容部、起立機構および揚送機構を外して示した平面図である。図３４はコイン搬送装置において、送出機構および起立機構によってコインが搬送される様子を示した平面図である。
【０１６３】
前述した第１実施の形態において、起立機構４０がコインを起立させるときのコインは、そのコインの表面あるいは裏面がコイン搬送装置の正面を向いた姿勢であるのに対し、第２実施の形態においては、図３０〜図３４に示すように、起立機構４０がコインを起立させるときのコインは、コインの表面あるいは裏面がコイン搬送装置の正面に対して傾いた姿勢である。
【０１６４】
また、前述した第１実施の形態において、揚送機構５０がコインを揚送し投入口１７に投入するときのコインは、コインの表面あるいは裏面がコイン搬送装置の正面を向いた姿勢に維持されるのに対し、第２実施の形態において、揚送機構５０がコインを揚送し投入口１７に投入するときのコインは、コインの表面あるいは裏面がコイン搬送装置の正面に対して傾いた姿勢から投入用ガイド部材５８によってコイン搬送装置の正面を向いた姿勢に変更される。
【０１６５】
次に、本発明の第３実施の形態に係るコイン搬送装置を説明する。第３実施の形態に係るコイン搬送装置の構成において、第１または第２実施の形態に係るコイン搬送装置の構成に対し異なる構成について説明し、同様な構成については、その説明を省略する。
【０１６６】
図３７〜図３９は本発明の第３実施の形態を示している。図３７はコイン搬送装置を遊技機に据え付けた状態を示す斜視図、図３８はコイン搬送装置を送り部材の回転軸に沿って破断して示した断面図、図３９は投入用ガイド部材の取付状態を示す図であり、（ａ）は平面図、（ｂ）は正面図、（ｃ）は側面図である。
【０１６７】
図３７〜図３９に示すように、投入用ガイド部材５８の構成が第１または第２実施の形態に係るものと異なる。投入用ガイド部材５８は、外部から投入口１７にコインを直接投入することができるように形成されている。
【０１６８】
具体的には、投入用ガイド部材５８は、コインを差し込むための２つの差込口５８ｃ、５８ｄが開設されるとともに、その２つの差込口５８ｃ、５８ｄにそれぞれ差し込まれたコインを投入口１７に案内するためのガイド溝５８ｅが形成されている。
【０１６９】
貯留部１５側から１枚ずつ分離され揚送されたコインが、差込口５８ｄからガイド溝５８ｅを通して投入口１７に直接投入することができるようになっている。また、コインが外部の差込口５８ｃからガイド溝５８ｅを通して投入口１７に直接投入することができるようになっている。図３９（ａ）、（ｂ）で分かるように、差込口５８ｃは、その差込口５８ｃにコインを差し込むとき、差し込む者の方へコインの表面あるいは裏面が向くように開設されている。コインを差し込む者がコインを把持したとき、その者の方へコインの表面等が向くようになるから、コインの姿勢を変えたり、持ちかえたりする必要がなく、そのままコインを差込口５８ｃに容易に差し込むことができる。
【０１７０】
ガイド溝５８ｅは、差込口５８ｃから差し込まれたコインをそのままの姿勢（コインの表面等が差し込む者の方へ向いた姿勢）で投入口１７に案内する一方で、差込口５８ｄから差し込まれたコインの姿勢をコインの表面等が差し込む者の方へ向いた姿勢に変更するための姿勢変更部５８ｆを有している。
【０１７１】
次に、本発明の第４実施の形態に係るコイン搬送装置を説明する。第４実施の形態に係るコイン搬送装置の構成において、第３実施の形態に係るコイン搬送装置の構成に対し異なる構成について説明し、同様な構成については、その説明を省略する。
【０１７２】
図４０〜図４２は本発明の第４実施の形態を示している。図４０はコイン搬送装置を遊技機に据え付けた状態を示す斜視図、図４１はコイン搬送装置を送り部材の回転軸に沿って破断して示した断面図、図４２は投入用ガイド部材の取付状態を示す図であり、（ａ）は平面図、（ｂ）は正面図、（ｃ）は側面図である。
【０１７３】
図４０〜図４２に示すように、投入口１７の位置に合わせて、投入用ガイド部材５８の差込口５８ｃの位置が第３実施の形態に係るものに対して数ミリ後方へ移動している。それに伴って、ガイド溝５８ｅの位置も後方へ移動している。差込口５８ｃ、ガイド溝５８ｅ等の位置が後方へ移動する一方で差込口５８ｄの位置が変わらないので、姿勢変更部５８ｆの形状が変わっている。
【０１７４】
前記第３および第４実施の形態においては、貯留部１５側からコインを１枚ずつ分離して揚送し、差込口５８ｄの一方からガイド溝５８ｅを通して投入口１７に直接投入することが可能なとき、差込口５８ｃを閉める一方、直接投入することが不能なとき、差込口５８ｃを開くための制限部材を備えてもよい。それにより、コイン搬送装置の非稼働時のみ、コインを外部から投入口１７へ直接投入可能にし、コイン搬送装置の稼働時には、コインが誤って外部から投入口１７へ投入されないように差込口５８ｃを閉じるようにしたので、コインの誤投入を防止することができる。
【０１７５】
【発明の効果】
本発明に係るコイン搬送装置によれば、貯留部側からコインを１枚ずつ分離して揚送し投入口に直接投入したので、遊技機においては、遊技者が貯留部からコインを１枚ずつ投入口に投入する操作を遊技毎にする必要はなく、遊技者の疲れをなくし、遊技し易くなる。また、コイン使用機においては、利用者が貯留部からコインを１枚ずつ投入口に投入する操作をする必要はなく、使い勝手がよくなる。
【０１７６】
また、起立機構や揚送機構を送出機構の近傍に配したので、装置全体を小型にすることができ、遊技機等の貯留部に搬送装置を隣接して設置するとき、設置スペースが狭い場合であっても、設置することができる。
【０１７７】
さらに、送出機構を間にして貯留部とはほぼ反対の位置に起立機構を配したので、貯留部からコインを送出機構へ移動するときに、起立機構が邪魔にならず、遊技機等の本体に寄った位置に起立機構を配したので、遊技機等の本体近傍に配される揚送機構と起立機構との距離を短くし、コインを揚送機構に送る距離が短くて済み、起立機構を小型にすることができる。さらに、揚送機構を起立機構から遊技機の本体あるいはコイン使用機の本体の方へさらに寄った位置に配したので、コインを起立機構から揚送機構に移動する距離をさらに短くし、起立機構をさらに小型にすることができる。それによって、コイン搬送装置も小型になり、遊技機等の貯留部に隣接した狭いスペースにもコイン搬送装置を設置することができる。
【０１７８】
さらに、送出機構から貯留部側とは反対側へコインを送り出すようにしたので、送り出されるコインの通路と貯留部から送出機構へ移動するコインの通路との間に送出機構が介在し、両通路を特別な部材で仕切る必要がない。また、両通路を並行にさせて設ける必要がなく、コイン搬送装置の通路幅を広げないで済み、コイン搬送装置全体を小型にして、遊技機等の貯留部に隣接した狭いスペースにもコイン搬送装置を設置することができる。
【０１７９】
さらに、送出機構の収容部材に貯留部内のコインを受け入れるようにし、収容部材のコイン搬入口を通して、貯留部内のコインを収容部材内に掻き寄せるようにしたので、手を貯留部内に入れ、入れた手の触感だけで、貯留部内のコインを見ることなく収容部材に掻き寄せることができ、目を貯留部内のコインの方へ移す必要がなく、遊技をしながら貯留部内のコインを掻き寄せることができ、使い勝手がよい。
【０１８０】
さらに、収容部材内で送り部材を回転すると、収容部材に受け入れられたコインを１枚ずつ送出用孔に嵌入し、嵌入したコインを送出用爪で起立機構へ送り出すようにしたので、コインを送出用孔で次々拾って、拾ったコインを送出用爪で次々に送り出すことができ、短時間に多数のコインを送り出すことができる。
【０１８１】
さらに、コインを起立機構の羽根部材によって掻き上げ、掻き上げたコインを起立ガイド部材によって案内して垂直ガイド部材へ送り、送られたコインを垂直ガイド部材によって起立姿勢に保持しながらコインを垂直方向に案内するようにしたので、起立機構および垂直ガイド部材によって、コインを所定姿勢で次々に揚送することができる。
【０１８２】
さらに、垂直ガイド部材の上端部に揚送されたコインを起立姿勢に保持しながらコインを投入口へ案内する投入用ガイド部材を設けたので、コインを投入口の上方から単に投下しないから、投入口の周縁でコインを弾いてしまうことがなく、コインを確実に投入口に直接投入することができる。
【０１８３】
さらに、投入用ガイド部材を投入口から離間することで、投入口を外部に開放し、外部からコインを投入口に直接投入できるようにしたので、装置の故障等でコインを自動的に投入口に直接投入できないときには、投入用ガイド部材を投入口から離間させればよい。それにより、装置の故障等でコインを自動的に投入口に投入できないときにも、その投入口に外部からコインを投入することができる。装置が復旧して、コインを自動的に投入口に直接投入するときには、離間していた投入用ガイド部材を元の位置に戻せばよく、操作を簡単に行うことができる。
【０１８４】
さらに、コインを送り部材の上面側で取り入れて、コインを送り部材の下面側の送出用爪で送り出すようにし、コインの取り入れ、送り出しの２つの処理を送り部材の上面と下面とで行うようにしたので、狭いスペースの中で２つの処理をすることができる。
【０１８５】
さらに、送出用爪でコインを直接的に起立機構に送り出すようにしたので、コインを中継して起立機構に送るような中継部材などを不要にし、部品コストや組立コストを低減することができる。
【０１８６】
さらに、送り部材の回転時に収容部材内のコインを係止し、係止したコインを送出用孔へ相対移動させる係止部材を設けたので、収容部材内のコインを送出用孔に強制的に嵌入させることができ、コインを送出用孔に嵌入させない空の状態で送り部材の回転を続けることがなく、コインの搬送効率を上げることができる。
【０１８７】
さらに、送出用爪によって送り出されるコインの押力が付勢力に優ると、原位置から変位し、送出用爪によってさらに送り出されるコインの押力に付勢力が優ると、原位置に戻るようなカウント部材を設けたので、カウント部材の動きによりコインの通過を検出することができ、コインの通過がなく、コインを起立機構に送らなければ、装置の駆動停止をすることができ、揚送するコインのない状態で駆動し続けるコインの空送りを防止することができる。
【０１８８】
さらに、カウント部材を原位置に戻すことによって、コインを起立機構に送り出すようにしたので、コインを検出する本来の機能の他に、コインを送る新たな機能をカウント部材にもたせることで、送り部材から送られたコインを起立機構にさらに送るための別部材を設ける必要をなくし、部品コストや組立コストを削減することができる。
【０１８９】
さらに、調整部材を設け、調整部材とカウント部材との間に形成されたコイン通過用の隙間を調整できるようにしたので、通過するコインのカウント部材に対する押力を調整したり、カウント部材の原位置から変位する量を調整したりして、付勢力で原位置に戻るカウント部材によってコインを起立機構に送り出す力や送り出す方向を調整することができ、それにより、コインを起立機構に確実に送り出すことができる。
【０１９０】
さらに、カウント部材に当接するコインの径の大きさに応じて、カウント部材の原位置から変位する量を変えるようにしたので、カウント部材でコインの径を選別することができ、所定径以外の異径コインを起立機構側へ送らずに済み、異径コインの混入を防止することができる。
【０１９１】
さらに、送出機構から送られたコインの周縁を部分的に落とし込むことで、コインを中間姿勢に保持するように中間姿勢保持部を形成し、中間姿勢に保持されたコインを羽根部材で掻き上げるようにしたので、起立ガイド部材や羽根部材は、コインを中間姿勢から起立姿勢にすればよく、コインを倒伏姿勢から起立姿勢にする場合に比べて、コインを垂直ガイド部材に案内する長さが短くなり、コインを垂直ガイド部材に掻き上げる量も減って、起立ガイド部材や羽根部材を小型にすることができる。
【０１９２】
さらに、コインを送出機構から起立機構に送ったとき、コインの送り方向に対して両側方向に位置するコインの両側縁の一方を中間姿勢保持部に落とし込むようにしたので、送出機構からわずかに送り出したコインであっても、そのコインを羽根部材によって掻き上げるときに、羽根部材を送出機構に沿うように移動させればよく、羽根部材と送出機構との干渉がないから、コインの送り出し量を少なくでき、送出機構を小型にすることができる。
【０１９３】
さらに、起立機構の羽根部材によってコインを垂直ガイド部材へ掻き上げたとき、羽根部材の羽先部をスクリュー部材の回転軸に対し外すようにしたので、コインを掻き上げるとき、羽根部材の羽先部をスクリュー部材側へ深く進入させても、回転軸と当たらないようになり、その分、羽根部材の羽先部に十分にコインを乗せるようにすることで、コインを起立機構から揚送機構へ確実に送ることができる。また、コインの面をスクリュー部材の回転軸に向けた起立姿勢になるようにコインを案内する起立ガイド部材を設けたので、起立機構の羽根部材から近いスクリュー部材の回転軸にコインを掻き上げればよく、コインをスクリュー部材の回転軸の側方に掻き上げる場合に比べて、コインを垂直ガイド部材に案内する長さが短くなり、コインを垂直ガイド部材に掻き上げる量も減って、起立ガイド部材や羽根部材を小型にすることができる。
【０１９４】
さらに、羽根部材によってコインを垂直ガイド部材へ掻き上げたときに、羽根部材の羽先部によって下方から支えるコインの周縁と、コインを下方から押し上げるためにスクリュー部材の突条によって下方から支えるコインの周縁例えば下縁との位置を別々にしたので、羽根部材の羽先部とスクリュー部材の突条とで共にコインを支えたときに、羽根部材の羽先部とスクリュー部材の突条との間に隙間ができ、干渉し合わないようになり、スクリュー部材の突条によってコインを十分に支えた後に、羽根部材をコインから外すように、羽根部材とスクリュー部材とをそれぞれ駆動させることが可能になり、コインを起立機構から揚送機構へ確実に送ることができる。
【０１９５】
さらに、垂直ガイド部材によってコインの面をスクリュー部材の回転軸に向けた起立姿勢にコインを保持しながらコインを垂直方向に案内し、スクリュー部材の突条をコインの下縁に当てて、スクリュー部材を回転することでコインを１枚ずつ押し上げるようにしたので、コインをスクリューの突条に乗せるような形になり、スクリュー部材の突条からコインを外すことなく、コインを確実に揚送することができる。また、垂直ガイド部材の幅は、コインの径と、コインの周縁が入るガイド溝の深さとを足した幅であり、遊技機等の正面から見て、手前側に垂直ガイド部材を配し、奥側にスクリュー部材を配し、その垂直ガイド部材の幅の中にスクリュー部材を納めるようにすれば、揚送機構の幅を狭くすることができ、また、垂直ガイド部材でスクリュー部材を隠すようになって、外観を良くすることができ、また、垂直ガイド部材に正面開口を開設したり、垂直ガイド部材を透過性のある材料で形成すれば、垂直ガイド部材に案内されて上昇するコインを遊技者や利用者が見ることができ、遊技者等に安心感を与えることができる。
【０１９６】
さらに、モータの動力を送出機構または揚送機構の少なくとも一方に伝達するための１または複数の平歯車を備え、１または複数の平歯車が、平歯車の回転軸を略垂直に配置した状態でモータの動力を受けるようにしたものでは、１または複数の平歯車を高さ方向で平歯車の歯幅とほぼ同じ寸法の中に収まるように配することができ、駆動機構を薄型にすることができ、コイン搬送装置の全体的な高さも低くなり、スロットマシンを始めとする遊技機や、自動販売機などのコイン使用機に組み込み易くなる。
【０１９７】
さらに、モータがベースの上面側に配され、１または複数の平歯車がベースの下面側にあって、その下面に沿うように配されているものでは、ベースより下方の駆動機構の取付スペースが、平歯車の歯幅とほぼ同じ寸法の中に収まるようになるので、コイン搬送装置をベースの位置を下げた低床型にすることができる。
【０１９８】
また、投入用ガイド部材が、外部から前記投入口にコインを直接投入することができるように形成されているものでは、コイン搬送装置の故障等により、コインを自動的に投入口に投入することができないときも、利用者が投入口にコインを直接投入することができ、利用者の要望に答えることができる。
【０１９９】
さらに、投入用ガイド部材は、コインを差し込むための２つの差込口が開設されるとともに、２つの差込口にそれぞれ差し込まれたコインを投入口に案内するためのガイド溝が形成され、貯留部側から１枚ずつ分離され揚送されたコインを２つの差込口の一方からガイド溝を通して投入口に直接投入することができ、また、外部から２つの差込口の他方からガイド溝を通して投入口にコインを直接投入することができるものでは、例えば、コイン搬送装置でコインを投入する自動投入位置と、手動でコインを投入する手動投入位置とに投入用ガイド部材を移動する必要がないので、構成が簡単になり、投入用ガイド部材の移動操作も不要になるので、使い勝手がよくなる。
【０２００】
さらに、２つの差込口の一方が、その差込口にコインを差し込むとき、差し込む者の方へコインの表面あるいは裏面が向くように開設されているものでは、コインを差込口に差し込む者がコインを把持したとき、その者の方へコインの表面あるいは裏面が向くようになるから、コインの姿勢を変えることなく、そのままコインを差込口に差し込むことができ、使い勝手がよい。
【０２０１】
さらに、貯留部側からコインを１枚ずつ分離して揚送し２つの差込口の一方からガイド溝を通して前記投入口に直接投入することが可能なとき、２つの差込口の他方を閉める一方、直接投入することが不能なとき、２つの差込口の他方を開くための制限部材を備えたものでは、コイン搬送装置の稼働時には、コインが誤って外部から投入口へ投入されないようにしたので、コインの誤投入を防止することができる。
【図面の簡単な説明】
【図１】本発明の第１実施の形態に係るコイン搬送装置を遊技機に取り付けた場合の斜視図である。
【図２】図１の部分拡大斜視図である。
【図３】本発明の第１実施の形態に係る揚送機構の上部を示す正面図（ａ）および側面図（ｂ）である。
【図４】図３の揚送機構において、投入用ガイド部材を投入口から離間させた状態を示す正面図（ａ）および側面図（ｂ）である。
【図５】本発明の第１実施の形態に係るコイン搬送装置の要部を一部破断して示した正面図である。
【図６】同じく、コイン搬送装置の要部を一部破断して示した側面図である。
【図７】本発明の第１実施の形態に係る起立機構を中間姿勢保持部で破断して示したコイン搬送装置の要部断面図である。
【図８】揚送機構の上部の正面図である。
【図９】送出機構の送り部材を外して見たときのコイン搬送装置の底面図である。
【図１０】同じく、コイン搬送装置の平面図である。
【図１１】同じく、コイン搬送装置の平面図である。
【図１２】送出機構において、コインの動く様子を示した平面図である。
【図１３】同じく、送出機構の送り部材を下面側から見たときの斜視図である。
【図１４】同じく、送出機構の送り部材の底面図である。
【図１５】カウント部材と近接スイッチとの関係を示す斜視図である。
【図１６】コイン搬送装置の駆動機構を示す底面図である。
【図１７】同じく、コイン搬送装置の駆動機構を示す正面図である。
【図１８】同じく、コイン搬送装置の駆動機構を示す側面図である。
【図１９】収容部材および係止部材を示す斜視図である。
【図２０】係止部材をコインに係止したときの説明図（ａ）および、係止部材でコインを送出用孔に嵌入させたときの説明図（ｂ）である。
【図２１】本発明の第１実施の形態の他の例に係るコイン搬送装置を遊技機に取り付けた場合の斜視図である。
【図２２】本発明の第１実施の形態の他の例に係るコイン搬送装置を部分的に破断して示した正面図である。
【図２３】本発明の第１実施の形態の他の例に係るコイン搬送装置を部分的に破断して示した側面図である。
【図２４】本発明の第１実施の形態の他の例に係るコイン搬送装置の送出機構等を示す平面図である。
【図２５】本発明の第２実施の形態に係るコイン搬送装置において、揚送機構および駆動機構の内部に配された平歯車等の構成部品を主に示す正面図である。
【図２６】本発明の第２実施の形態に係るコイン搬送装置の正面図である。
【図２７】本発明の第２実施の形態に係るコイン搬送装置の側面図である。
【図２８】本発明の第２実施の形態に係るコイン搬送装置を送り部材の回転軸に沿って破断して示した断面図である。
【図２９】本発明の第２実施の形態に係るコイン搬送装置をスクリュー部材の回転軸に沿って破断して示した断面図である。
【図３０】本発明の第２実施の形態に係るコイン搬送装置の平面図である。
【図３１】本発明の第２実施の形態に係るコイン搬送装置の底面図である。
【図３２】本発明の第２実施の形態に係るコイン搬送装置のコイン収容部を外すとともに、揚送機構を破断して示した平面図である。
【図３３】本発明の第２実施の形態に係るコイン搬送装置のコイン収容部、起立機構および揚送機構を外して示した平面図である。
【図３４】本発明の第２実施の形態に係るコイン搬送装置において、送出機構および起立機構によってコインが搬送される様子を示した平面図である。
【図３５】本発明の第２実施の形態に係るコイン搬送装置の底面図であり、平歯車の配置を主に示した図である。
【図３６】本発明の第２実施の形態に係るコイン搬送装置において、モータの動力を羽根部材に伝達するための歯車機構を示した図である。
【図３７】本発明の第３実施の形態に係るコイン搬送装置を遊技機に据え付けた状態を示す斜視図である。
【図３８】本発明の第３実施の形態に係るコイン搬送装置を送り部材の回転軸に沿って破断して示した断面図である。
【図３９】本発明の第３実施の形態に係る投入用ガイド部材の取付状態を示す図であり、（ａ）は平面図、（ｂ）は正面図、（ｃ）は側面図である。
【図４０】本発明の第４実施の形態に係るコイン搬送装置を遊技機に据え付けた状態を示す斜視図である。
【図４１】本発明の第４実施の形態に係るコイン搬送装置を送り部材の回転軸に沿って破断して示した断面図である。
【図４２】本発明の第４実施の形態に係る投入用ガイド部材の取付状態を示す図であり、（ａ）は平面図、（ｂ）は正面図、（ｃ）は側面図である。
【符号の説明】
Ｃ１…コイン
Ｃ２…コインの側縁
Ｃ３…コインの下縁
Ｃ４…羽先部によって下方から支えるコインの周縁
Ｍ１…モータ
１０…遊技機
１１…本体
１２…可変表示部
１３ａ…スタートレバー
１３ｂ…ストップボタン
１５…貯留部
１６…底面
１７…投入口
１７ａ…前板部材
１７ｂ…後板部材
２１、２１ａ…ベース
２２、２３…凸部
２５…ロックピン
２８…異物排出孔
２９…係止部材
２９ａ…コイル部材
３０…送出機構
３１…収容部材
３２…コイン搬入口
３２ａ…下縁
３３…コイン収容部
３３ａ…底部
３３ｂ…円形断面形状の孔
３３ｃ…壁面
３４…嵌合部
３４ａ…下端フランジ
３４ｂ…ロック溝
３４ｃ…アンロック溝
３５…送り部材
３５ａ…送り部材の周縁
３５ｂ…逃げ溝
３６…送出用孔
３７…送出用爪
３７ａ…環状部
３７ｂ…凸部
３８…カウント部材
３８ａ…ばね部材
３８ｂ…ブラケット
３８ｃ…ベアリング
３８ｄ…枢軸
３８ｅ、３８ｆ…近接スイッチ
３８ｇ…被検出用突起
３９…調整部材
４０…起立機構
４２…起立ガイド部材
４４…羽根部材
４５…羽先部
４９…中間姿勢保持部
４９ａ…嵌入溝
４９ｂ…円弧状溝
４９ｃ…逃げ溝
５０…揚送機構
５２…垂直ガイド部材
５２ａ…レール部材
５２ｂ…ガイド溝部材
５２ｃ…垂直ガイド部材の案内部
５２ｄ…垂直ガイド部材の上端口
５２ｅ…垂直ガイド部材の上端部
５４…スクリュー部材
５４ａ…回転軸
５８…投入用ガイド部材
５８ａ、５８ｂ…ガイド部材
５８ｃ、５８ｄ…差込口
５８ｅ…ガイド溝
５８ｆ…姿勢変更部
６０…駆動機構
６１、６２…ベベルギア
６２ａ…平歯車
６３、６４…平歯車
６５、６６…平歯車
６６ａ…回転軸
６７…アイドルギア
６８…平歯車
６８ａ…回転軸
６９…減速機構
７１…駆動シャフト
１３５…送出車
１４２…起立ガイド部材
１４４…羽根車
１５２…垂直ガイド部材
１６１〜１６６…平歯車
【図１】
2004152257.tif 000003
【図２】
2004152257.tif 000004
【図３】
2004152257.tif 000005
【図４】
2004152257.tif 000006
【図５】
2004152257.tif 000007
【図６】
2004152257.tif 000008
【図７】
2004152257.tif 000009
【図８】
2004152257.tif 000010
【図９】
2004152257.tif 000011
【図１０】
2004152257.tif 000012
【図１１】
2004152257.tif 000013
【図１２】
2004152257.tif 000014
【図１３】
2004152257.tif 000015
【図１４】
2004152257.tif 000016
【図１５】
2004152257.tif 000017
【図１６】
2004152257.tif 000018
【図１７】
2004152257.tif 000019
【図１８】
2004152257.tif 000020
【図１９】
2004152257.tif 000021
【図２０】
2004152257.tif 000022
【図２１】
2004152257.tif 000023
【図２２】
2004152257.tif 000024
【図２３】
2004152257.tif 000025
【図２４】
2004152257.tif 000026
【図２５】
2004152257.tif 000027
【図２６】
2004152257.tif 000028
【図２７】
2004152257.tif 000029
【図２８】
2004152257.tif 000030
【図２９】
2004152257.tif 000031
【図３０】
2004152257.tif 000032
【図３１】
2004152257.tif 000033
【図３２】
2004152257.tif 000034
【図３３】
2004152257.tif 000035
【図３４】
2004152257.tif 000036
【図３５】
2004152257.tif 000037
【図３６】
2004152257.tif 000038
【図３７】
2004152257.tif 000039
【図３８】
2004152257.tif 000040
【図３９】
2004152257.tif 000041
【図４０】
2004152257.tif 000042
【図４１】
2004152257.tif 000043
【図４２】
2004152257.tif 000044
【手続補正書】
【提出日】平成15年9月1日(2003.9.1)
【手続補正１】
【補正対象書類名】図面
【補正対象項目名】全図
【補正方法】変更
【補正の内容】
【図１】
2004152257.tif 000045
【図２】
2004152257.tif 000046
【図３】
2004152257.tif 000047
【図４】
2004152257.tif 000048
【図５】
2004152257.tif 000049
【図６】
2004152257.tif 000050
【図７】
2004152257.tif 000051
【図８】
2004152257.tif 000052
【図９】
2004152257.tif 000053
【図１０】
2004152257.tif 000054
【図１１】
2004152257.tif 000055
【図１２】
2004152257.tif 000056
【図１３】
2004152257.tif 000057
【図１４】
2004152257.tif 000058
【図１５】
2004152257.tif 000059
【図１６】
2004152257.tif 000060
【図１７】
2004152257.tif 000061
【図１８】
2004152257.tif 000062
【図１９】
2004152257.tif 000063
【図２０】
2004152257.tif 000064
【図２１】
2004152257.tif 000065
【図２２】
2004152257.tif 000066
【図２３】
2004152257.tif 000067
【図２４】
2004152257.tif 000068
【図２５】
2004152257.tif 000069
【図２６】
2004152257.tif 000070
【図２７】
2004152257.tif 000071
【図２８】
2004152257.tif 000072
【図２９】
2004152257.tif 000073
【図３０】
2004152257.tif 000074
【図３１】
2004152257.tif 000075
【図３２】
2004152257.tif 000076
【図３３】
2004152257.tif 000077
【図３４】
2004152257.tif 000078
【図３５】
2004152257.tif 000079
【図３６】
2004152257.tif 000080
【図３７】
2004152257.tif 000081
【図３８】
2004152257.tif 000082
【図３９】
2004152257.tif 000083
【図４０】
2004152257.tif 000084
【図４１】
2004152257.tif 000085
【図４２】
2004152257.tif 000086